(57)【特許請求の範囲】
【請求項１】
アクセス及びモビリティ管理機能(AMF)エンティティと、
セッション管理機能(SMF)エンティティと
を含むシステムであって、
前記AMFエンティティは、
ユーザ装置(UE)の位置情報を含む第1のメッセージを前記SMFエンティティに送信するように構成され、
前記SMFエンティティは、
前記AMFエンティティから前記第1のメッセージを受信し、
前記第1のメッセージに基づいて、前記UEが前記UEのためのプロトコルデータユニット(PDU)セッションに対応する第1のユーザプレーン機能(UPF)エンティティのサービスエリアから出ると決定し、
第1のパラメータを前記UEに送信し、前記第1のパラメータは、前記PDUセッションのPDUセッション識別子と、前記PDUセッションの再確立又は前記PDUセッションの変更を示す指示とを含む、
ように構成される、システム。
【請求項２】
前記AMFエンティティは、
サービス要求メッセージ及び前記UEの前記位置情報を受信するように更に構成され、前記サービス要求メッセージは、前記PDUセッションの前記PDUセッション識別子を含む、請求項１に記載のシステム。
【請求項３】
前記UEと前記第1のUPFエンティティとの間のユーザプレーン接続が存在せず、前記第1のUPFエンティティはアンカーUPFエンティティであり、前記ユーザプレーン接続は前記PDUセッションに対応する、請求項１又は２に記載のシステム。
【請求項４】
前記SMFエンティティは、前記第1のUPFエンティティとの前記PDUセッションを解放するように更に構成される、請求項１乃至３のうちいずれか１項に記載のシステム。
【請求項５】
前記サービス要求メッセージは、アクティブ化される必要があるPDUセッションの識別子を含む、請求項２に記載のシステム。
【請求項６】
前記AMFエンティティは、
前記PDUセッションの前記PDUセッション識別子と、前記SMFエンティティに関連するSMF識別との間の関連付けを記憶するように更に構成される、請求項１乃至５のうちいずれか１項に記載のシステム。
【請求項７】
前記SMFエンティティは、
前記UEから前記PDUセッションの再確立又は前記PDUセッションの変更のための第3のメッセージを受信するように更に構成される、請求項１乃至６のうちいずれか１項に記載のシステム。
【請求項８】
前記第1のパラメータを前記UEに送信することは、
前記PDUセッションのセッション継続モードが、古いPDUセッションが解放された後に前記UEが新たなPDUセッションを確立することをネットワークが許容するモードであると決定したことに応じて、前記第1のパラメータを前記UEに送信することを含み、前記新たなPDUセッション及び前記古いPDUセッションは、同じデータネットワーク(DN)を有する、請求項１乃至７のうちいずれか１項に記載のシステム。
【請求項９】
前記SMFエンティティは、
前記UEのための新たなPDUセッションを確立するために第2のUPFエンティティを選択し、
前記UEと前記第2のUPFエンティティとの間に前記新たなPDUセッションを確立し、前記新たなPDUセッション及び前記PDUセッションは同じデータネットワーク(DN)を有する、
ように更に構成される、請求項１乃至８のうちいずれか１項に記載のシステム。
【請求項１０】
前記第2のUPFエンティティを選択することは、前記AMFエンティティが前記UEからサービス要求メッセージを受信した後、且つ、前記AMFエンティティがサービス受付メッセージを前記UEに送信する前に実行される、請求項９に記載のシステム。
【請求項１１】
少なくとも1つのプロセッサと、
前記少なくとも1つのプロセッサに結合されたメモリと
を含むネットワーク装置であって、
前記メモリは、前記少なくとも1つのプロセッサにより実行されることに応じて、前記ネットワーク装置に対して、
アクセス及びモビリティ管理機能(AMF)エンティティからユーザ装置(UE)の位置情報を含む第1のメッセージを受信させ、
前記第1のメッセージに基づいて、前記UEが前記UEのための第1のプロトコルデータユニット(PDU)セッションに対応する第1のユーザプレーン機能(UPF)エンティティのサービスエリアから出ると決定させ、
第1のパラメータを前記UEに送信させ、前記第1のパラメータは、前記第1のPDUセッションのPDUセッション識別子と、前記第1のPDUセッションの再確立又は前記第1のPDUセッションの変更を示す指示とを含む、
プログラミング命令を記憶する、ネットワーク装置。
【請求項１２】
前記UEと前記第1のUPFエンティティとの間のユーザプレーン接続が存在せず、前記第1のUPFエンティティはアンカーUPFエンティティであり、前記ユーザプレーン接続は前記第1のPDUセッションに対応する、請求項１１に記載のネットワーク装置。
【請求項１３】
前記メモリは、前記少なくとも1つのプロセッサにより実行されることに応じて、前記ネットワーク装置に対して、
前記第1のUPFエンティティとの前記第1のPDUセッションを解放させるプログラミング命令を更に記憶する、請求項１１又は１２に記載のネットワーク装置。
【請求項１４】
前記メモリは、前記少なくとも1つのプロセッサにより実行されることに応じて、前記ネットワーク装置に対して、更に、
前記UEのための第2のPDUセッションを確立するために第2のUPFエンティティを選択させ、
前記UEと前記第2のUPFエンティティとの間に前記第2のPDUセッションを確立させ、前記第2のPDUセッション及び前記第1のPDUセッションは同じデータネットワーク(DN)を有する、
プログラミング命令を更に記憶する、請求項１１乃至１３のうちいずれか１項に記載のネットワーク装置。
【請求項１５】
前記第1のパラメータを前記UEに送信することは、
前記第1のPDUセッションのセッション継続モードが、古いPDUセッションが解放された後に前記UEが新たなPDUセッションを確立することをネットワークが許容するモードであると決定したことに応じて、前記第1のパラメータを前記UEに送信することを含み、前記新たなPDUセッション及び前記古いPDUセッションは、同じデータネットワーク(DN)を有する、請求項１１乃至１４のうちいずれか１項に記載のネットワーク装置。
【請求項１６】
前記第1のUPFエンティティはアンカーUPFエンティティであり、前記第1のPDUセッションの前記識別子及び前記指示は、N1  SM情報に含まれる、請求項１１乃至１５のうちいずれか１項に記載のネットワーク装置。
【請求項１７】
ネットワーク装置により実施される方法であって、
アクセス及びモビリティ管理機能(AMF)エンティティからユーザ装置(UE)の位置情報を含む第1のメッセージを受信するステップと、
前記第1のメッセージに基づいて、前記UEが前記UEのための第1のプロトコルデータユニット(PDU)セッションに対応する第1のユーザプレーン機能(UPF)エンティティのサービスエリアから出ると決定するステップと、
第1のパラメータを前記UEに送信するステップであり、前記第1のパラメータは、前記第1のPDUセッションのPDUセッション識別子と、前記第1のPDUセッションの再確立又は前記第1のPDUセッションの変更を示す指示とを含む、ステップと
を含む方法。
【請求項１８】
前記第1のPDUセッションは非アクティブ状態にある、請求項１７に記載の方法。
【請求項１９】
前記第1のUPFエンティティとの前記第1のPDUセッションを解放するステップを更に含む、請求項１７又は１８に記載の方法。
【請求項２０】
前記UEのための第2のPDUセッションを確立するために第2のUPFエンティティを選択するステップと、
前記UEと前記第2のUPFエンティティとの間に前記第2のPDUセッションを確立するステップと
を更に含む、請求項１７乃至１９のうちいずれか１項に記載の方法。
【請求項２１】
前記第1のパラメータを前記UEに送信するステップは、
前記第1のPDUセッションのセッション継続モードが、古いPDUセッションが解放された後に前記UEが新たなPDUセッションを確立することをネットワークが許容するモードであると決定したことに応じて、前記第1のパラメータを前記UEに送信するステップであり、前記新たなPDUセッション及び前記古いPDUセッションは、同じデータネットワーク(DN)を有する、ステップを含む、請求項１７乃至２０のうちいずれか１項に記載の方法。
【請求項２２】
前記第1のUPFエンティティはアンカーUPFエンティティであり、前記第1のPDUセッションの前記識別子及び前記指示は、N1  SM情報に含まれる、請求項１７乃至２１のうちいずれか１項に記載の方法。
【請求項２３】
アクセス及びモビリティ管理機能(AMF)エンティティにより、ユーザ装置(UE)の位置情報を含む第1のメッセージをセッション管理機能(SMF)エンティティに送信するステップと、
前記SMFエンティティにより、前記AMFエンティティから前記第1のメッセージを受信するステップと、
前記SMFエンティティにより、前記第1のメッセージに基づいて、前記UEが前記UEのためのプロトコルデータユニット(PDU)セッションに対応する第1のユーザプレーン機能(UPF)エンティティのサービスエリアから出ると決定するステップと、
前記SMFエンティティにより、第1のパラメータを前記UEに送信するステップであり、前記第1のパラメータは、前記PDUセッションのPDUセッション識別子と、前記PDUセッションの再確立又は前記PDUセッションの変更を示す指示とを含む、ステップと
を含む方法。
【請求項２４】
前記AMFエンティティにより、サービス要求メッセージ及び前記UEの前記位置情報を受信するステップであり、前記サービス要求メッセージは、前記PDUセッションの前記PDUセッション識別子を含む、ステップを更に含む、請求項２３に記載の方法。
【請求項２５】
前記PDUセッションは非アクティブ状態にあり、前記第1のUPFエンティティはアンカーUPFエンティティである、請求項２３に記載の方法。
【請求項２６】
前記SMFエンティティにより、前記第1のUPFエンティティとの前記PDUセッションを解放するステップを更に含む、請求項２５に記載の方法。
【請求項２７】
前記サービス要求メッセージは、アクティブ化される必要があるPDUセッションの識別子を含む、請求項２４に記載の方法。
【請求項２８】
前記AMFエンティティにより、前記PDUセッションの前記PDUセッション識別子と、前記SMFエンティティに関連するSMF識別との間の関連付けを記憶するステップを更に含む、請求項２３乃至２７のうちいずれか１項に記載の方法。
【請求項２９】
前記SMFエンティティにより、前記UEから前記PDUセッションの再確立又は前記PDUセッションの変更のための第3のメッセージを受信するステップを更に含む、請求項２３乃至２８のうちいずれか１項に記載の方法。
【請求項３０】
前記第1のパラメータを前記UEに送信するステップは、
前記PDUセッションのセッション継続モードが、古いPDUセッションが解放された後に前記UEが新たなPDUセッションを確立することをネットワークが許容するモードであると決定したことに応じて、前記第1のパラメータを前記UEに送信するステップであり、前記新たなPDUセッション及び前記古いPDUセッションは、同じデータネットワーク(DN)を有する、ステップを含む、請求項２３乃至２９のうちいずれか１項に記載の方法。
【請求項３１】
前記SMFエンティティにより、前記UEのための新たなPDUセッションを確立するために第2のUPFエンティティを選択するステップと、
前記SMFエンティティにより、前記UEと前記第2のUPFエンティティとの間に前記新たなPDUセッションを確立するステップであり、前記新たなPDUセッション及び前記PDUセッションは同じデータネットワーク(DN)を有する、ステップと
を更に含む、請求項２３乃至３０のうちいずれか１項に記載の方法。
【請求項３２】
前記第2のUPFエンティティを選択するステップは、前記AMFエンティティが前記UEからサービス要求メッセージを受信した後、且つ、前記AMFエンティティがサービス受付メッセージを前記UEに送信する前に実行される、請求項３１に記載の方法。
【請求項３３】
プロセッサにより実行されたとき、請求項１７乃至２２のうちいずれか１項に記載の方法を装置に実行させる命令を記憶するように構成されたコンピュータ読み取り可能記憶媒体。

【発明の詳細な説明】
【技術分野】
【０００１】
本発明の実施形態は、通信技術の分野に関し、特に、セッション管理方法及びシステム並びに端末に関する。
【背景技術】
【０００２】
第5世代移動通信技術(5-Generation,  5G)では、プロトコルデータユニット(Protocol  Data  Unit,  PDU)接続サービスを提供するために使用されるPDUセッション(session)が、ユーザ装置(User  Equipment,  UE)とデータネットワーク(Data  Network,  DN)との間に存在する。通常ではPDUセッションに使用されるセッション及びサービス継続モードは、セッション及びサービス継続モード(Session  and  Service  Continuity  mode,  SSC  mode)1及びSSC  mode  2である。
【０００３】
図１に示すように、図１は、SSC  mode  1のセッションを確立するための手順を示す。具体的には、UEは、セッションを確立するように命令するために使用される第1のメッセージを送信し、第1のメッセージに基づいてセッション管理機能(Session  Management  Function,  SMF)エンティティを選択した後に、アクセス及びモビリティ管理機能(Authentication  and  Mobility  Management  Function,  AMF)エンティティは、第1のメッセージを選択されたSMFエンティティに送信し、次いで、SMFエンティティがUEにより送信された第1のメッセージを受信したとき、SMFエンティティは、ユーザ装置とSMFエンティティとの間の第1のPDUセッションを確立するために、新たなユーザプレーン機能(User  Plan  Function,  UPF)エンティティを選択する。
【０００４】
従来の技術的解決策において、図２に示すように、図２は、SSC  mode  1のセッションがアクティブ状態にあるときのUPFエンティティ再配置の概略フローチャートである。図２において、SMFエンティティは、UEがセッションを確立するUPFエンティティを再び変更する必要があると決定する。この場合、SMFエンティティは、AMFエンティティを使用することにより、第2のメッセージをUEに送信する。第2のメッセージは、UEに対して、セッションと同じデータネットワーク(Data  Network,  DN)を有するPDUセッションを再確立するように命令するために使用される。次いで、SMFエンティティは、第1のPDUセッションを解放し、UEにより送信され且つ第2のセッションを確立するために使用される要求を受信したとき、SMFエンティティは、第1のUPFエンティティを使用することにより、ユーザ装置との第2のセッションを確立する。
【０００５】
しかし、従来の技術的解決策は、セッションモードがアクティブな状態にあるとき、SMFエンティティが、UEがセッションを確立するUPFエンティティを再び変更する必要があると決定する手順のみに適用可能である。セッションが非アクティブ状態にある(例えば、UEがアイドル状態にある、或いはUEが接続状態にあるがセッションが非アクティブ状態にある)場合、どのようにUEがセッションを確立するUPFエンティティを再び変更するかという手順は明確ではない。
【発明の概要】
【０００６】
この出願は、セッションが非アクティブ状態のときにどのようにUPFエンティティを再配置するかという従来技術の問題を解決するための、セッション管理方法及びシステム並びに端末を提供する。
【０００７】
上記の目的を達成するために、この出願は以下の技術的解決策を使用する。
【０００８】
第1の態様によれば、本発明の実施形態はセッション管理方法を提供し、ユーザ装置UEは第1のプロトコルデータユニットPDUセッションを有し、本発明のこの実施形態において提供される方法は、UEにより、サービス要求メッセージをアクセス及びモビリティ管理機能AMFエンティティに送信するステップと、UEにより、AMFエンティティにより送信された第1のメッセージを受信するステップと、UEにより、第1のメッセージに基づいて第1のPDUセッションを再確立又は変更するステップとを含む。
【０００９】
本発明のこの実施形態において提供されるセッション管理方法では、UEは、サービス要求メッセージをAMFエンティティに送信し、次いで、AMFエンティティは、第1のPDUセッションを再確立することを決定するために使用される第1のメッセージをUEに送信する。この場合、第1のPDUセッションがアクティブ化される必要があるか、或いはUEが第1のPDUセッションに対応するエリアから出ると決定されたとき、データが失われないことを確保するために、データが送信又は受信される必要がある前に、第1のPDUセッションが第2のPDUセッションを生成するように適時に再確立されることが確保され得る。
【００１０】
第1の態様を参照して、第1の態様の第1の可能な実現方式では、第1のメッセージは、サービス受付メッセージであり、サービス受付メッセージは、第1のPDUセッションの識別子及び第1の指示を搬送し、識別子は、第1のPDUセッションを識別するために使用され、第1の指示は、PDUセッションを再確立又は変更するように命令するために使用される。UEは、第1の指示の具体的な内容を参照して、第1のPDUセッションを再確立又は変更することを直接決定し、それにより、第1のPDUセッションを再確立するように命令するために使用される指示を受信した後に、UEは、第1のPDUセッションを再確立するために使用される第2のメッセージを直接送信するか、或いは、第1のPDUセッションを変更するように命令するためにユーザにより使用される指示を受信した後に、UEは、第1のPDUセッションを変更するために使用される第2のメッセージを直接送信する。
【００１１】
第1の態様又は第1の態様の第1の可能な実現方式を参照して、第1の態様の第2の可能な実現方式では、UEにより、第1のメッセージに基づいて第1のPDUセッションを再確立又は変更するステップは、第1の指示がUEに対して第1のPDUセッションを再確立するように命令するために使用される場合、UEにより、識別子及び第1の指示に基づいて第1のPDUセッションを再確立するステップを含む。
【００１２】
第1の態様から第1の態様の第2の可能な実現方式のうちいずれか1つを参照して、第1の態様の第3の可能な実現方式では、UEにより、第1のメッセージに基づいて第1のPDUセッションを再確立又は変更するステップは、第1の指示がUEに対して第1のPDUセッションを変更するように命令するために使用される場合、UEにより、識別子及び第1の指示に基づいて第1のPDUセッションを変更するステップを含む。
【００１３】
第1の態様から第1の態様の第3の可能な実現方式のうちいずれか1つを参照して、第1の態様の第4の可能な実現方式では、第1のメッセージは、サービス拒否メッセージであり、サービス拒否メッセージは、第1のPDUセッションの識別子及び原因値を搬送し、識別子は、第1のPDUセッションを識別するために使用され、原因値は、UEがPDUセッションに対応するエリアから出ることを示す。このように、第1のメッセージを受信した後に、AMFエンティティは、AMFエンティティに対してUPFエンティティ再配置を実行するようにトリガするか、或いはSMFエンティティに対してUPFエンティティ再配置を実行するようにトリガするために、原因値に基づいて、UEが識別子に関連する第1のPDUセッションに対応するエリアから出ると決定し得る。
【００１４】
第1の態様から第1の態様の第4の可能な実現方式のうちいずれか1つを参照して、第1の態様の第5の可能な実現方式では、UEにより、第1のメッセージに基づいて第1のPDUセッションを再確立するステップは、UEにより、識別子及び原因値に基づいて第1のPDUセッションを再確立又は変更することを決定するステップを含む。
【００１５】
第1の態様から第1の態様の第5の可能な実現方式のうちいずれか1つを参照して、第1の態様の第6の可能な実現方式では、UEにより、第1のメッセージに基づいて第1のPDUセッションを再確立又は変更した後に、当該方法は、UEにより、第1のPDUセッションを再確立又は変更することを要求するために使用される第2のメッセージをAMFエンティティに送信するステップを更に含む。第1のPDUセッションを再確立又は変更することを決定した後に、UEは、データが送信される前に第2のPDUセッションがアクティブ状態にあることを確保するために、第1のPDUセッションを再確立又は変更するために使用される第2のメッセージをトリガする。
【００１６】
第2の態様によれば、本発明の実施形態はセッション管理方法を提供し、ユーザ装置UEは第1のプロトコルデータユニットPDUセッションを有し、本発明のこの実施形態において提供される方法は、SMFエンティティにより、アクセス及びモビリティ管理機能AMFエンティティにより送信され且つSMFエンティティに対してUEが第1のPDUセッションに対応するエリアから出るか否かを決定するように命令するために使用される第1のメッセージを受信するステップと、SMFエンティティにより、第1のメッセージに基づいて、UEが第1のPDUセッションに対応するユーザプレーン機能UPFエンティティのサービスエリアから出ると決定するステップと、SMFエンティティにより、AMFエンティティを使用することにより、第1のパラメータをUEに送信するステップであり、第1のパラメータは、UEに対して第1のPDUセッションを再確立又は変更するように命令するために使用される、ステップとを含む。
【００１７】
第2の態様を参照して、第2の態様の第1の可能な実現方式では、第1のパラメータは、第1のPDUセッションの識別子及び第1の指示を含み、識別子は、第1のPDUセッションを識別するために使用され、第1の指示は、UEに対して識別子に関連する第1のPDUセッションを再確立又は変更するために使用される要求を送信するように命令するために使用される。
【００１８】
第2の態様又は第2の態様の第1の可能な実現方式を参照して、第2の態様の第2の可能な実現方式では、SMFエンティティにより、アクセス及びモビリティ管理機能AMFエンティティにより送信された第1のメッセージを受信する前に、本発明のこの実施形態において提供される方法は、SMFエンティティにより、第1のPDUセッションに対応するエリアをAMFエンティティに送信するステップ、又はSMFエンティティにより、第1のPDUセッションに対応するユーザプレーン機能UPFエンティティの識別子をAMFエンティティに送信するステップであり、UPFエンティティの識別子は、第1のPDUセッションに対応するエリアを決定するためにAMFエンティティにより使用される、ステップを更に含む。
【００１９】
第2の態様から第2の態様の第2の可能な実現方式のうちいずれか1つを参照して、第2の態様の第3の可能な実現方式では、第1のメッセージは、UEの位置情報を搬送するか、或いは第1のメッセージは、UEが第1のPDUセッションに対応するエリアから出ることを示すために使用される第2の指示を搬送する。
【００２０】
第2の態様から第2の態様の第3の可能な実現方式のうちいずれか1つを参照して、第2の態様の第4の可能な実現方式では、SMFエンティティが、第1のメッセージに基づいて、UEの位置が第1のPDUセッションに対応するエリアの外にあると決定したとき、SMFエンティティにより、AMFエンティティを使用することにより、第1のパラメータをUEに送信するステップは、SMFエンティティにより、第1のPDUセッションのセッション継続モードを決定するステップと、SMFエンティティが、第1のPDUセッションのセッション継続モードが第1のセッションモード又は第2のセッションモードであると決定したとき、SMFエンティティにより、AMFエンティティを使用することにより、第1のパラメータをUEに送信するステップとを更に含む。
【００２１】
第3の態様によれば、本発明の実施形態はセッション管理方法を提供し、ユーザ装置UEは第1のプロトコルデータユニットPDUセッションを有し、本発明のこの実施形態において提供される方法は、アクセス及びモビリティ管理機能AMFエンティティが、UEにより送信されたサービス要求メッセージが受信されたと決定した後に、AMFエンティティにより、UEの位置が第1のPDUセッションに対応するエリアの外にあるか否かを決定するためにSMFエンティティにより使用される第1のメッセージをSMFエンティティに送信するステップと、AMFエンティティにより、SMFエンティティにより送信され且つUEに対して第1のPDUセッションを再確立又は変更するために使用される要求を送信するように命令するために使用される第1のパラメータを受信するステップと、AMFエンティティにより、第1のパラメータをUEに送信するステップとを含む。
【００２２】
第3の態様を参照して、第3の態様の第1の可能な実現方式では、第1のパラメータは、第1のPDUセッションの識別子及び第1の指示を含み、識別子は、第1のPDUセッションを識別するために使用され、第1の指示は、UEに対して識別子に関連する第1のPDUセッションを再確立するために使用される要求を送信するように命令するために使用される。
【００２３】
第3の態様又は第3の態様の第1の可能な実現方式を参照して、第3の態様の第2の可能な実現方式では、アクセス及びモビリティ管理機能AMFエンティティが、UEにより送信されたサービス要求メッセージが受信されたと決定した後、且つ、AMFエンティティがUEの位置情報を取得する前に、本発明のこの実施形態において提供される方法は、AMFエンティティにより、第1のPDUセッションに対応し且つSMFエンティティにより送信されたエリアを受信するステップ、又は、AMFエンティティにより、SMFエンティティにより送信された、第1のPDUセッションに対応するUPFエンティティの識別子を受信するステップであり、UPFエンティティの識別子は、第1のPDUセッションに対応するエリアを決定するためにAMFエンティティにより使用される、ステップを更に含む。
【００２４】
第3の態様から第3の態様の第2の可能な実現方式のうちいずれか1つを参照して、第3の態様の第3の可能な実現方式では、第1のメッセージは、UEの位置情報、又はUEの位置が第1のPDUセッションに対応するエリアの外にあることを示すために使用される第2の指示を搬送する。
【００２５】
第4の態様によれば、本発明の実施形態はセッション管理方法を提供し、ユーザ装置UEがセッション管理機能SMFエンティティと第1のプロトコルデータユニットPDUセッションを確立するプロセスにおいて、UEにより、SMFエンティティにより送信され且つ第1のPDUセッションに対応するエリアを含む第1のメッセージを受信するステップと、UEが、第1のPDUセッションに対応するエリアに基づいて、UEが第1の条件を満たすと決定したとき、UEにより、UEが第1のPDUセッションに対応するエリアから出ることを示すために使用される第2のメッセージをターゲットエンティティに送信するステップであり、第1の条件は、UEが第1のPDUセッションに対応するエリアから出ることを含む、ステップとを含む。
【００２６】
この出願において提供されるセッション管理方法では、UEがSMFエンティティと第1のPDUセッションを確立するプロセスにおいて、SMFエンティティは、UEに対して第1のPDUセッションに対応するエリアを提供する。このように、UEがアイドル状態にあるとき、ひとたびUEが第1のPDUセッションに対応するエリアの外になると、UEは、第1のPDUセッションに対応するエリアを更新するようにPDUセッション変更要求メッセージをトリガする。このプロセスにおいて、SMFエンティティはUPF再配置を実行する。したがって、データが失われないことを確保するために、UPFエンティティ再配置は、データが送信される前に実行されることが確保され得る。
【００２７】
第4の態様を参照して、第4の態様の第1の可能な実現方式では、第1のメッセージは、第1の指示を更に含み、第1の指示は、UEが第1のPDUセッションに対応するエリアから出るとUEが決定した後、且つ、UEの状態がアイドル状態から接続状態に切り替えられるとき、又はUEが第1のPDUセッション中に到着するアップリンクデータを有するとき、UEに対して第2のメッセージをターゲットエンティティに送信するように命令するために使用され、第1の条件は、UEの状態がアイドル状態から接続状態に切り替えられることを更に含む。
【００２８】
第4の態様又は第4の態様の第1の可能な実現方式を参照して、第4の態様の第2の可能な実現方式では、本発明のこの実施形態において提供される方法は、UEが第1のPDUセッションに対応するエリアから出ると決定したとき、UEにより、第1のPDUセッションを更新対象の状態でマーキングするステップを更に含む。このように、UEは、UEがアイドル状態から接続状態に切り替えられると決定したとき、又はUEが第1のPDUセッション中に到着するアップリンクデータを有するとき、第2のメッセージをターゲットエンティティに直接送信し得る。
【００２９】
第4の態様から第4の態様の第2の可能な実現方式のうちいずれか1つを参照して、第4の態様の第3の可能な実現方式では、ターゲットエンティティがセッション管理機能SMFエンティティである場合、第2のメッセージは、UEによりSMFエンティティに送信され且つUEの位置情報と第2の指示とのうち少なくとも1つを搬送するPDUセッション変更要求メッセージであり、第2の指示は、UEが第1のPDUセッションに対応するエリアから出ることを示すために使用される。
【００３０】
第4の態様から第4の態様の第3の可能な実現方式のうちいずれか1つを参照して、第4の態様の第4の可能な実現方式では、ターゲットエンティティは、アクセス及びモビリティ管理機能AMFエンティティであり、第2のメッセージは、UEによりAMFエンティティに送信されるサービス要求メッセージであり、サービス要求メッセージは、第1の指示を搬送し、第1の指示は、UEが第1のPDUセッションに対応するエリアから出ることを示すために使用される。
【００３１】
第4の態様から第4の態様の第4の可能な実現方式のうちいずれか1つを参照して、第4の態様の第5の可能な実現方式では、第2のメッセージは、UEによりAMFエンティティに送信される登録要求メッセージであり、登録要求メッセージは、第1の原因値を搬送し、第1の原因値は、UEが第1のPDUセッションに対応するエリアから出ることを示すために使用される。
【００３２】
第4の態様から第4の態様の第5の可能な実現方式のうちいずれか1つを参照して、第4の態様の第6の可能な実現方式では、UEが第1のPDUセッションに対応するエリアから出るとUEが決定し、第2のメッセージをターゲットエンティティに送信した後に、本発明のこの実施形態において提供される方法は、UEにより、ターゲットエンティティにより送信され且つ第1のエリアを含む第3のメッセージを受信するステップであり、第1のエリアは、第1のPDUセッションの更新エリアである、ステップと、UEにより、第3のメッセージに基づいて、第1のPDUセッションに対応するエリアを第1のエリアに更新するステップとを更に含む。
【００３３】
第4の態様から第4の態様の第6の可能な実現方式のうちいずれか1つを参照して、第4の態様の第7の可能な実現方式では、第3のメッセージは、第1のIPアドレスを更に含み、第1のIPアドレスは、第1のPDUセッションの更新IPアドレスであり、当該方法は、UEにより、第1のPDUセッションに対応するIPアドレスを第1のIPアドレスに更新するステップを更に含む。
【００３４】
第4の態様から第4の態様の第7の可能な実現方式のうちいずれか1つを参照して、第4の態様の第8の可能な実現方式では、ターゲットエンティティがSMFエンティティであるとき、第3のメッセージは、AMFエンティティによりUEに送信されるPDUセッション変更受付メッセージであるか、或いはターゲットエンティティがAMFエンティティであるとき、第3のメッセージは、AMFエンティティによりUEに送信されるサービス受付メッセージであるか、或いはターゲットエンティティがAMFエンティティであるとき、第3のメッセージは、AMFエンティティによりUEに送信される登録受付メッセージである。
【００３５】
第5の態様によれば、本発明の実施形態はセッション管理方法を提供し、ユーザ装置UEがセッション管理機能SMFエンティティと第1のプロトコルデータユニットPDUセッションを確立するプロセスにおいて、SMFエンティティにより、第1のPDUセッションに対応するエリアを含む第1のメッセージをUEに送信するステップと、SMFエンティティにより、UEにより送信され且つUEが第1のPDUセッションに対応するエリアから出ることを示すために使用される第2のメッセージを受信するステップと、SMFエンティティにより、第2のメッセージに基づいて第1のPDUセッションに対応するエリアを更新するか、或いは第2のPDUセッションを確立するために、第2のメッセージに基づいて第2のUPFエンティティを再選択するステップとを含む。
【００３６】
第5の態様を参照して、第5の態様の第1の可能な実現方式では、当該方法は、SMFエンティティにより、第3のメッセージをUEに送信するステップであり、第3のメッセージは、第1のエリアを搬送し、第1のエリアは、第1のPDUセッションの更新エリアである、ステップを更に含む。
【００３７】
第5の態様又は第5の態様の第1の可能な実現方式を参照して、第5の態様の第2の可能な実現方式では、第3のメッセージは、第1のIPアドレスを更に搬送し、第1のIPアドレスは、第1のPDUセッションの更新IPアドレスである。
【００３８】
第5の態様から第5の態様の第2の可能な実現方式のうちいずれか1つを参照して、第5の態様の第3の可能な実現方式では、第1のメッセージは、UEが第1のPDUセッションに対応するエリアから出るとUEが決定したとき、UEに対して第2のメッセージをSMFエンティティに送信するように命令するために使用される第1の指示を搬送する。
【００３９】
第5の態様から第5の態様の第3の可能な実現方式のうちいずれか1つを参照して、第5の態様の第4の可能な実現方式では、第1の指示は、UEの状態がアイドル状態から接続状態に切り替えられるとき、又はUEが第1のPDUセッション中に到着するアップリンクデータを有するとき、UEに対して第2のメッセージをSMFエンティティに送信するように命令するために更に使用される。
【００４０】
第5の態様から第5の態様の第4の可能な実現方式のうちいずれか1つを参照して、第5の態様の第5の可能な実現方式では、第2のメッセージは、UEの位置情報を搬送し、SMFエンティティにより、第2のメッセージに基づいて第1のPDUセッションに対応するエリアを更新するか、或いは第2のPDUセッションを確立するために、第2のメッセージに基づいて第2のUPFエンティティを再選択するステップは、第1のPDUセッションのセッション及びサービス継続モードが、第1のセッションモード又は第2のセッションモードである場合、UEが第1のPDUセッションに対応するエリアから出て、UEが第1のPDUセッションに対応するユーザプレーン機能UPFエンティティのサービスエリアの中にあると決定したとき、SMFエンティティにより、第1のPDUセッションに対応するエリアを更新するか、或いはSMFエンティティにより、UEが第1のPDUセッションに対応するエリアから出て、UEが第1のPDUセッションに対応するUPFエンティティのサービスエリアから出ると決定したとき、第2のUPFエンティティを再選択するステップを含む。
【００４１】
第6の態様によれば、本発明の実施形態はユーザ装置を提供し、ユーザ装置UEは第1のプロトコルデータユニットPDUセッションを有し、UEは、サービス要求メッセージをアクセス及びモビリティ管理機能AMFエンティティに送信するように構成された送信ユニットと、AMFエンティティにより送信された第1のメッセージを受信するように構成された受信ユニットと、UEにより、第1のメッセージに基づいて第1のPDUセッションを再確立又は変更することを決定するように構成された決定ユニットとを含む。
【００４２】
第6の態様を参照して、第6の態様の第1の可能な実現方式では、第1のメッセージは、サービス受付メッセージであり、サービス受付メッセージは、第1のPDUセッションの識別子及び第1の指示を搬送し、識別子は、第1のPDUセッションを識別するために使用され、第1の指示は、識別子に関連する第1のPDUセッションを再確立又は変更するように命令するために使用される。
【００４３】
第6の態様又は第6の態様の第1の可能な実現方式を参照して、第6の態様の第2の可能な実現方式では、決定ユニットは、第1の指示がUEに対して識別子に関連する第1のPDUセッションを変更するように命令するために使用される場合、UEにより、識別子及び第1の指示に基づいて第1のPDUセッションを変更することを決定するか、或いは第1の指示がUEに対して識別子に関連する第1のPDUセッションを再確立するように命令するために使用される場合、識別子及び第1の指示に基づいて第1のPDUセッションを再確立することを決定するように構成される。
【００４４】
第6の態様から第6の態様の第2の可能な実現方式のうちいずれか1つを参照して、第6の態様の第3の可能な実現方式では、第1のメッセージは、サービス受付メッセージであり、サービス受付メッセージは、第1のPDUセッションの識別子を搬送し、識別子は、識別子に関連する第1のPDUセッションを再確立又は変更するように命令するために使用され、決定ユニットは、識別子に基づいて第1のPDUセッションを再確立又は変更することを決定することを含む。
【００４５】
第6の態様から第6の態様の第3の可能な実現方式のうちいずれか1つを参照して、第6の態様の第4の可能な実現方式では、第1のメッセージは、サービス拒否メッセージであり、サービス拒否メッセージは、第1のPDUセッションの識別子及び原因値を搬送し、識別子は、第1のPDUセッションを識別するために使用され、原因値は、UEが識別子に関連する第1のPDUセッションに対応するエリアから出ることを示す。
【００４６】
第6の態様から第6の態様の第4の可能な実現方式のうちいずれか1つを参照して、第6の態様の第5の可能な実現方式では、決定ユニットは、UEにより、識別子及び原因値に基づいて識別子に関連する第1のPDUセッションを再確立又は変更することを決定するように更に構成される。
【００４７】
第1の態様から第1の態様の第6の可能な実現方式のうちいずれか1つを参照して、第1の態様の第7の可能な実現方式では、送信ユニットは、UEにより、第1のPDUセッションを再確立又は変更することを要求するために使用される第2のメッセージをAMFエンティティに送信するように更に構成される。
【００４８】
第7の態様によれば、本発明の実施形態はSMFエンティティを提供し、ユーザ装置UEは第1のプロトコルデータユニットPDUセッションを有し、SMFエンティティは、アクセス及びモビリティ管理機能AMFエンティティにより送信され且つSMFエンティティに対してUEが第1のPDUセッションに対応するエリアから出るか否かを決定するように命令するために使用される第1のメッセージを受信するように構成された受信ユニットと、第1のメッセージに基づいて、UEが第1のPDUセッションに対応するUPFエンティティのサービスエリアから出ると決定したとき、SMFエンティティにより、AMFエンティティを使用することにより、UEに対して第1のPDUセッションを再確立又は変更するために使用される要求を送信するように命令するために使用される第1のパラメータをUEに送信するように構成された送信ユニットとを含む。
【００４９】
第7の態様を参照して、第7の態様の第1の可能な実現方式では、第1のパラメータは、第1のPDUセッションの識別子及び第1の指示を含み、識別子は、第1のPDUセッションを識別するために使用され、第1の指示は、UEに対して識別子に関連する第1のPDUセッションを再確立又は変更するために使用される要求を送信するように命令するために使用される。
【００５０】
第7の態様又は第7の態様の第1の可能な実現方式を参照して、第7の態様の第2の可能な実現方式では、送信ユニットは、第1のPDUセッションに対応するエリアをAMFエンティティに送信するように更に構成されるか、或いは送信ユニットは、第1のPDUセッションに対応するユーザプレーン機能UPFエンティティの識別子をAMFエンティティに送信するように更に構成され、UPFエンティティの識別子は、第1のPDUセッションに対応するエリアを決定するためにAMFエンティティにより使用される。
【００５１】
第7の態様から第7の態様の第2の可能な実現方式のうちいずれか1つを参照して、第7の態様の第3の可能な実現方式では、第1のメッセージは、UEの位置情報を搬送するか、或いは第1のメッセージは、UEが第1のPDUセッションに対応するエリアから出ることを示すために使用される第2の指示を搬送する。
【００５２】
第7の態様から第7の態様の第3の可能な実現方式のうちいずれか1つを参照して、第7の態様の第4の可能な実現方式では、SMFエンティティは、第1のPDUセッションのセッション継続モードを決定するように構成された決定ユニットを更に含み、送信ユニットは、SMFエンティティが、第1のPDUセッションのセッション継続モードが第1のセッションモード又は第2のセッションモードであると決定したとき、SMFエンティティにより、AMFエンティティを使用することにより、第1のパラメータをUEに送信するように具体的に構成される。
【００５３】
第8の態様によれば、本発明の実施形態はアクセス及びモビリティ管理機能AMFエンティティを提供し、ユーザ装置UEは第1のプロトコルデータユニットPDUセッションを有し、本発明のこの実施形態において提供されるAMFエンティティは、UEにより送信されたサービス要求メッセージが受信されたと決定したとき、UEの位置が第1のPDUセッションに対応するエリアの外にあるか否かを決定するためにSMFエンティティにより使用される第1のメッセージをSMFエンティティに送信するように構成された送信ユニットと、SMFエンティティにより送信され且つUEに対して第1のPDUセッションを再確立又は変更するために使用される要求を送信するように命令するために使用される第1のパラメータを受信するように構成された受信ユニットとを含み、送信ユニットは、第1のパラメータをUEに送信するように構成される。
【００５４】
第8の態様を参照して、第8の態様の第1の可能な実現方式では、第1のパラメータは、第1のPDUセッションの識別子及び第1の指示を含み、識別子は、第1のPDUセッションを識別するために使用され、第1の指示は、UEに対して識別子に関連する第1のPDUセッションを再確立するために使用される要求を送信するように命令するために使用される。
【００５５】
第8の態様又は第8の態様の第1の可能な実現方式を参照して、第8の態様の第2の可能な実現方式では、アクセス及びモビリティ管理機能AMFエンティティは、第1のPDUセッションに対応し且つSMFエンティティにより送信されたエリアを受信するように構成された受信ユニット、又は、SMFエンティティにより送信された、第1のPDUセッションに対応するUPFエンティティの識別子を受信するように構成された受信ユニットであり、UPFエンティティの識別子は、第1のPDUセッションに対応するエリアを決定するためにAMFエンティティにより使用される、受信ユニットを更に含む。
【００５６】
第8の態様から第8の態様の第2の可能な実現方式のうちいずれか1つを参照して、第8の態様の第3の可能な実現方式では、第1のメッセージは、UEの位置情報、又はUEの位置が第1のPDUセッションに対応するエリアの外にあることを示すために使用される第2の指示を搬送する。
【００５７】
第9の態様によれば、本発明の実施形態はユーザ装置を提供し、ユーザ装置UEがセッション管理機能SMFエンティティと第1のプロトコルデータユニットPDUセッションを確立するプロセスにおいて、SMFエンティティにより送信され且つ第1のPDUセッションに対応するエリアを含む第1のメッセージを受信するように構成された受信ユニットと、第1のPDUセッションに対応するエリアに基づいて、UEが第1の条件を満たすと決定したとき、UEが第1のPDUセッションに対応するエリアから出ることを示すために使用される第2のメッセージをターゲットエンティティに送信するように構成された送信ユニットであり、第1の条件は、UEが第1のPDUセッションに対応するエリアから出ることを含む、送信ユニットとを含む。
【００５８】
第9の態様を参照して、第9の態様の第1の可能な実現方式では、第1のメッセージは、第1の指示を更に含み、第1の指示は、UEが第1のPDUセッションに対応するエリアから出るとUEが決定した後、且つ、UEの状態がアイドル状態から接続状態に切り替えられるとき、又はUEが第1のPDUセッション中に到着するアップリンクデータを有するとき、UEに対して第2のメッセージをターゲットエンティティに送信するように命令するために使用され、第1の条件は、UEの状態がアイドル状態から接続状態に切り替えられることを更に含む。
【００５９】
第9の態様又は第9の態様の第1の可能な実現方式を参照して、第9の態様の第2の可能な実現方式では、本発明のこの実施形態において提供されるUEは、UEが第1のPDUセッションに対応するエリアから出ると決定したとき、第1のPDUセッションを更新対象の状態でマーキングするように構成されたマーキングユニットを更に含む。
【００６０】
第9の態様から第9の態様の第2の可能な実現方式のうちいずれか1つを参照して、第9の態様の第3の可能な実現方式では、ターゲットエンティティがセッション管理機能SMFエンティティである場合、第2のメッセージは、UEによりSMFエンティティに送信され且つUEの位置情報と第2の指示とのうち少なくとも1つを搬送するPDUセッション変更要求メッセージであり、第2の指示は、UEが第1のPDUセッションに対応するエリアから出ることを示すために使用される。
【００６１】
第9の態様から第9の態様の第3の可能な実現方式のうちいずれか1つを参照して、第9の態様の第4の可能な実現方式では、ターゲットエンティティは、アクセス及びモビリティ管理機能AMFエンティティであり、第2のメッセージは、UEによりAMFエンティティに送信されるサービス要求メッセージであり、サービス要求メッセージは、UEが第1のPDUセッションに対応するエリアから出ることを示すために使用される第1の指示を搬送する。
【００６２】
第9の態様から第9の態様の第4の可能な実現方式のうちいずれか1つを参照して、第9の態様の第5の可能な実現方式では、第2のメッセージは、UEによりAMFエンティティに送信される登録要求メッセージであり、登録要求メッセージは、UEが第1のPDUセッションに対応するエリアから出ることを示すために使用される第1の原因値を搬送する。
【００６３】
第9の態様から第9の態様の第5の可能な実現方式のうちいずれか1つを参照して、第9の態様の第6の可能な実現方式では、本発明のこの実施形態において提供されるUEは、ターゲットエンティティにより送信され且つ第1のエリアを含む第3のメッセージを受信するように構成された受信ユニットであり、第1のエリアは、第1のPDUセッションの更新エリアである、受信ユニットを更に含み、本発明のこの実施形態において提供されるUEは、第3のメッセージに基づいて、第1のPDUセッションに対応するエリアを第1のエリアに更新するように構成された更新ユニットを更に含む。
【００６４】
第9の態様から第9の態様の第6の可能な実現方式のうちいずれか1つを参照して、第9の態様の第7の可能な実現方式では、第3のメッセージは、第1のIPアドレスを更に含み、第1のIPアドレスは、第1のPDUセッションの更新IPアドレスであり、更新ユニットは、UEにより、第1のPDUセッションに対応するIPアドレスを第1のIPアドレスに更新するように構成される。
【００６５】
第9の態様から第9の態様の第7の可能な実現方式のうちいずれか1つを参照して、第9の態様の第8の可能な実現方式では、ターゲットエンティティがSMFエンティティであるとき、第3のメッセージは、AMFエンティティによりUEに送信されるPDUセッション変更受付メッセージであるか、或いはターゲットエンティティがAMFエンティティであるとき、第3のメッセージは、AMFエンティティによりUEに送信されるサービス受付メッセージであるか、或いはターゲットエンティティがAMFエンティティであるとき、第3のメッセージは、AMFエンティティによりUEに送信される登録受付メッセージである。
【００６６】
第10の態様によれば、本発明の実施形態はセッション管理機能SMFエンティティを提供し、ユーザ装置UEがセッション管理機能SMFエンティティと第1のプロトコルデータユニットPDUセッションを確立するプロセスにおいて、第1のPDUセッションに対応するエリアを含む第1のメッセージをUEに送信するように構成された送信ユニットと、UEにより送信され且つUEが第1のPDUセッションに対応するエリアから出ることを示すために使用される第2のメッセージを受信するように構成された受信ユニットと、第2のメッセージに基づいて第1のPDUセッションに対応するエリアを更新するか、或いは第2のPDUセッションを確立するために、第2のメッセージに基づいて第2のUPFエンティティを再選択するように構成された処理ユニットとを含む。
【００６７】
第10の態様を参照して、第10の態様の第1の可能な実現方式では、本発明のこの実施形態において提供される送信ユニットは、第1のエリアを搬送する第3のメッセージをUEに送信するように更に構成され、第1のエリアは、第1のPDUセッションの更新エリアである。
【００６８】
第10の態様又は第10の態様の第1の可能な実現方式を参照して、第10の態様の第2の可能な実現方式では、第3のメッセージは、第1のIPアドレスを更に搬送し、第1のIPアドレスは、第1のPDUセッションの更新IPアドレスである。
【００６９】
第10の態様から第10の態様の第2の可能な実現方式のうちいずれか1つを参照して、第10の態様の第3の可能な実現方式では、第1のメッセージは、UEが第1のPDUセッションに対応するエリアから出るとUEが決定したとき、UEに対して第2のメッセージをSMFエンティティに送信するように命令するために使用される第1の指示を搬送する。
【００７０】
第10の態様から第10の態様の第3の可能な実現方式のうちいずれか1つを参照して、第10の態様の第4の可能な実現方式では、第1の指示は、UEの状態がアイドル状態から接続状態に切り替えられるとき、又はUEが第1のPDUセッション中に到着するアップリンクデータを有するとき、UEに対して第2のメッセージをSMFエンティティに送信するように命令するために更に使用される。
【００７１】
第10の態様から第10の態様の第4の可能な実現方式のうちいずれか1つを参照して、第10の態様の第5の可能な実現方式では、第2のメッセージは、UEの位置情報を搬送し、処理ユニットは、第1のPDUセッションのセッション及びサービス継続モードが、第1のセッションモード又は第2のセッションモードである場合、SMFエンティティが、UEが第1のPDUセッションに対応するエリアから出て、UEが第1のPDUセッションに対応するユーザプレーン機能UPFエンティティのサービスエリアの中にあると決定したとき、第1のPDUセッションに対応するエリアを更新するか、或いはSMFエンティティが、UEが第1のPDUセッションに対応するエリアから出て、UEが第1のPDUセッションに対応するUPFエンティティのサービスエリアから出ると決定したとき、第2のUPFエンティティを再選択するように具体的に構成される。
【００７２】
第11の態様によれば、本発明の実施形態は、メモリと、プロセッサと、バスと、トランシーバとを含むユーザ装置を提供し、メモリは、コード及びデータを記憶し、プロセッサ及びメモリは、バスを使用することにより接続され、プロセッサは、メモリ内のコードを実行し、それにより、ユーザ装置は、第1の態様から第1の態様の第6の可能な実現方式のうちいずれか1つに記載のセッション管理方法、又は第4の態様から第4の態様の第8の可能な実現方式のうちいずれか1つに記載のセッション管理方法を実行する。
【００７３】
第12の態様によれば、本発明の実施形態は、メモリと、プロセッサと、バスと、トランシーバとを含むセッション管理機能SMFエンティティを提供し、メモリは、コード及びデータを記憶し、プロセッサ及びメモリは、バスを使用することにより接続され、プロセッサは、メモリ内のコードを実行し、それにより、SMFエンティティは、第2の態様から第2の態様の第4の可能な実現方式のうちいずれか1つに記載のセッション管理方法、又は第5の態様から第5の態様の第5の可能な実現方式のうちいずれか1つに記載のセッション管理方法を実行する。
【００７４】
第13の態様によれば、本発明の実施形態は、メモリと、プロセッサと、バスと、トランシーバとを含むアクセス及びモビリティ管理機能AMFエンティティを提供し、メモリは、コード及びデータを記憶し、プロセッサ及びメモリは、バスを使用することにより接続され、プロセッサは、メモリ内のコードを実行し、それにより、AMFエンティティは、第3の態様から第3の態様の第4の可能な実現方式のうちいずれか1つに記載のセッション管理方法を実行する。
【００７５】
第14の態様によれば、本発明の実施形態は、命令を含むコンピュータ読取可能記憶媒体を提供し、コンピュータ読取可能記憶媒体がAMFエンティティ上で実行するとき、AMFエンティティは、第3の態様から第3の態様の第4の可能な実現方式のうちいずれか1つに記載のセッション管理方法を実行するか、或いはコンピュータ読取可能記憶媒体がSMFエンティティ上で実行するとき、SMFエンティティは、第2の態様から第2の態様の第4の可能な実現方式のうちいずれか1つに記載のセッション管理方法、又は第5の態様から第5の態様の第5の可能な実現方式のうちいずれか1つに記載のセッション管理方法を実行するか、或いはコンピュータ読取可能記憶媒体がユーザ装置上で実行するとき、ユーザ装置は、第1の態様から第1の態様の第6の可能な実現方式のうちいずれか1つに記載のセッション管理方法、又は第4の態様から第4の態様の第8の可能な実現方式のうちいずれか1つに記載のセッション管理方法を実行する。
【００７６】
第15の態様によれば、本発明の実施形態はセッション管理システムを提供し、第13の態様又は第8の態様に記載のAMFエンティティと、第12の態様、第7の態様から第7の態様の第4の可能な実現方式のうちいずれか1つ、又は第10の態様から第10の態様の第5の可能な実現方式のうちいずれか1つに記載のSMFエンティティと、第6の態様又は第11の態様に記載のユーザ装置とを含む。
【図面の簡単な説明】
【００７７】
【図１】従来技術におけるセッション確立方法の第1の概略フローチャートである。
【図２】従来技術におけるセッション管理方法の第2の概略フローチャートである。
【図３】従来技術におけるセッション管理方法の第3の概略フローチャートである。
【図４】本発明の実施形態に従ってセッション管理方法が適用されるシステムのアーキテクチャ図である。
【図５】本発明の実施形態によるAMFエンティティの概略構造図である。
【図６】本発明の実施形態によるSMFエンティティの概略構造図である。
【図７】本発明の実施形態によるUEの概略構造図である。
【図８】本発明の実施形態によるセッション管理方法の第1の概略フローチャートである。
【図９Ａ】本発明の実施形態によるセッション管理方法の第2の概略フローチャートである。
【図９Ｂ】本発明の実施形態によるセッション管理方法の第2の概略フローチャートである。
【図１０Ａ】本発明の実施形態によるセッション管理方法の第3の概略フローチャートである。
【図１０Ｂ】本発明の実施形態によるセッション管理方法の第3の概略フローチャートである。
【図１１Ａ】本発明の実施形態によるセッション管理方法の第4の概略フローチャートである。
【図１１Ｂ】本発明の実施形態によるセッション管理方法の第4の概略フローチャートである。
【図１２Ａ】本発明の実施形態によるセッション管理方法の第4の概略フローチャートである。
【図１２Ｂ】本発明の実施形態によるセッション管理方法の第4の概略フローチャートである。
【図１２Ｃ】本発明の実施形態によるセッション管理方法の第4の概略フローチャートである。
【図１３Ａ】本発明の実施形態によるセッション管理方法の第5の概略フローチャートである。
【図１３Ｂ】本発明の実施形態によるセッション管理方法の第5の概略フローチャートである。
【図１３Ｃ】本発明の実施形態によるセッション管理方法の第5の概略フローチャートである。
【図１４Ａ】本発明の実施形態によるセッション管理方法の具体的な使用の概略フローチャートである。
【図１４Ｂ】本発明の実施形態によるセッション管理方法の具体的な使用の概略フローチャートである。
【図１４Ｃ】本発明の実施形態によるセッション管理方法の具体的な使用の概略フローチャートである。
【図１５Ａ】本発明の実施形態による他のセッション管理方法の具体的な使用の概略フローチャートである。
【図１５Ｂ】本発明の実施形態による他のセッション管理方法の具体的な使用の概略フローチャートである。
【図１５Ｃ】本発明の実施形態による他のセッション管理方法の具体的な使用の概略フローチャートである。
【図１６】本発明の実施形態によるAMFエンティティの第1の概略構造図である。
【図１７】本発明の実施形態によるAMFエンティティの第2の概略構造図である。
【図１８】本発明の実施形態によるSMFエンティティの第1の概略構造図である。
【図１９】本発明の実施形態によるSMFエンティティの第2の概略構造図である。
【図２０】本発明の実施形態によるユーザ装置の第1の概略構造図である。
【図２１】本発明の実施形態によるユーザ装置の第2の概略構造図である。
【図２２】本発明の実施形態によるユーザ装置の第3の概略構造図である。
【図２３】本発明の実施形態によるSMFエンティティの第3の概略構造図である。
【発明を実施するための形態】
【００７８】
本発明の実施形態における技術的解決策の明確な説明を容易にするために、「第1」及び「第2」のような語が、基本的に同じ機能又は目的を有する同じ項目又は類似の項目を区別するために本発明の実施形態において使用される。当業者は、「第1」及び「第2」のような語が数及び実現順序を限定しないことを理解し得る。
【００７９】
本発明の実施形態では、PDUセッションは、UEと、接続サービスを提供するために使用されるデータネットワークとの間の接続である。接続のタイプは、IPタイプ、イーサネットタイプ(Ethernet  type)及び非IPタイプを含んでもよい。
【００８０】
本発明の実施形態におけるアイドル状態又は接続状態は、UEの接続管理(Connection  Management)状態である。UEがアイドル状態にあることは、UEの接続管理状態がアイドル状態、すなわち、CM-IDLEであることを意味する。
【００８１】
UEが接続状態にあることは、UEの接続管理状態が接続状態、すなわち、CM-CONNECTEDであることを意味する。
【００８２】
本発明の実施形態では、セッションのアクティブ状態は、UEと基地局との間のDRB(data  radio  bearer)及び基地局とUPFエンティティとの間のN3接続が存在するか否かを含む、UEとUPFエンティティとの間の、セッションに対応するユーザプレーン接続が存在するか否かを意味する。
【００８３】
セッションがアクティブ状態であることは、UEとUPFエンティティの間の、セッションに対応するユーザプレーン接続が存在することを意味する。具体的には、セッションに対応するDRB及びN3接続の双方が存在する。UEは、セッション中にデータを直接受信及び送信できる。
【００８４】
セッションが非アクティブ状態であることは、UEとUPFエンティティの間のユーザプレーン接続が存在しないことを意味する。具体的には、UEと基地局との間のデータ無線ベアラ(data  radio  bearer,  DRB)及び基地局とUPFエンティティとの間のN3接続のうち少なくとも1つは存在しない。UEは、セッション中にデータを直接受信及び送信できない。セッション中に送信される必要があるアップリンクデータが存在する場合、又はセッション中に到着するダウンリンクデータが存在するとき、UEはまず、セッションをアクティブ化するためのサービス要求手順を実行する必要があり、UEは、セッションがアクティブ状態に切り替えられた後にのみ、データを受信及び送信できる。
【００８５】
セッションがアクティブ状態又は非アクティブ状態にあることは、確立されたセッションに特有であることが理解され得る。
【００８６】
本発明の実施形態では、UPFサービスエリアは、PDUセッションについて、UEの位置がサービスエリアの中にあることを条件として、リダイレクション(すなわち、再配置)プロセスがPDUセッションに対応するUPFエンティティに対して実行される必要がないことを意味する。UPFサービスエリアは、UPFエンティティが制御できるか或いはUPFエンティティが接続できる基地局の集合、これらの基地局が属するトラッキングエリア(Tracking  Area)の集合又はこれらの基地局が含むセル(cell)の集合でもよい。
【００８７】
本発明の実施形態では、PDUセッションに対応するエリアは、PDUセッションをサービス提供するUPFエンティティのUPFサービスエリア、又はPDUセッションをサービス提供するUPFエンティティのUPFサービスエリアからUEを中心として使用することにより選択された特定数の部分集合、又はPDUセッションをサービス提供するUPFエンティティのサービスエリアと、UPFエンティティと同じ機能を有する隣接UPFエンティティのサービスエリアとの集合であり、当該集合は、UEにより中心として選択される。UPFエンティティは、PDUセッションをサービス提供するアンカーUPFエンティティでもよく、或いはPDUセッションをサービス提供する他のUPFエンティティでもよいことに留意すべきである。
【００８８】
本発明の実施形態の使用シナリオは、以下の通りであることに留意すべきである。UEは第1のPDUセッションを有する。第1のPDUセッションが非アクティブ状態にあるとき、且つ、第1のPDUセッションに対応するUPFエンティティが、UEの位置が移動する際に第1のPDUセッションをサービス提供できない(例えば、UEが第1のPDUセッションに対応するUPFエンティティのサービスエリアの外にある)とき、ネットワーク又はUEは、UPF再配置をトリガする。シナリオにおける第1のPDUセッションが非アクティブ状態にあることは、以下の場合を含む。UEがアイドル状態にあるか、或いはUEが接続状態にあるがセッションが非アクティブ状態にある。
【００８９】
本発明の実施形態における第1のPDUセッションのサービス継続モードは、第1のセッションモード(SSC1とも呼ばれる)でもよい。SSC1は、ネットワークが第1のPDUセッションの解放をトリガし、UEに対して第1のPDUセッションを再確立するように命令し、再確立された第1のPDUセッションが第1のPDUセッションと同じDNを有することを意味する。確かに、再確立された第1のPDUセッションは、第2のPDUセッションとして理解されてもよく、第2のPDUセッションは、第1のPDUセッションを置き換えてもよい。図２に示すように、UPFエンティティが再配置される必要があると決定したとき、SMFエンティティは、セッションを再確立するように命令するために使用される要求メッセージ(例えば、図２に示す要求メッセージ)を、AMFエンティティを使用することによりユーザ装置に送信する。SMFエンティティはまず、第1のUPFエンティティを使用することにより、ユーザ装置と確立された第1のPDUセッションを解放する。次いで、SMFエンティティは、第2のUPFエンティティを使用することにより、ユーザ装置により送信されたセッション管理接続要求に基づいて、ユーザ装置と第2のPDUセッションを確立する。最後に、UEは、第2のPDUセッションをサービス提供する第2のUPFエンティティを使用することによりデータを送信する。具体的には、第1のPDUセッションは、第2のPDUセッションが確立される前に解放される。
【００９０】
図３に示すように、本発明の実施形態における第1のPDUセッションのサービス継続モードは、第2のセッションモード(セッション及びサービス継続第2セッションモード、SSC2とも呼ばれる)でもよい。SSC2は、ネットワークが、第1のPDUセッション(UEと第1のUPFエンティティの間に確立された接続)が解放される前に、第2のPDUセッション(UEと第2のUPFエンティティの間に確立された接続)がまず確立されることを可能にすることを意味する。具体的には、SMFエンティティはまず、AMFエンティティを使用することにより第1のメッセージをUEに送信する。第1のメッセージは、ユーザ装置に対してセッション解放時間内にセッション管理接続要求を送信するように命令するために使用され、それにより、SMFエンティティは、第2のUPFエンティティを使用することによりユーザ装置と第2のPDUセッションを確立し、SMFエンティティは、セッション解放時間に到達した後に、ユーザ装置と確立された第1のPDUセッション、すなわち、第1のUPFエンティティを使用することによりSMFエンティティによりユーザ装置と確立された第1のPDUセッションを解放する。具体的には、第1のPDUセッションは、第2のPDUセッションが確立された後に、SMFエンティティにより解放される。

【００９１】
SSC1は、ネットワーク側が第1のPDUセッションの解放をトリガし、UEに対して第2のPDUセッションを直ちに確立するように命令してもよく、第2のPDUセッションが第1のPDUセッションと同じデータネットワークDNを有することを意味する。SSC1では、第1のPDUセッションがまず解放され、次いで第2のPDUセッションが確立される。
【００９２】
SSC2は、ネットワーク側がUEに対して第2のPDUセッションを確立するようにトリガしてもよく、第2のPDUセッションが第1のPDUセッションと同じデータネットワークDNを有することを意味する。SSC2では、第2のPDUセッションがまず確立され、次いで第1のPDUセッションが解放される。
【００９３】
本発明の実施形態における第1のPDUセッションのサービス継続モードは、主に第1のモード又は第2のモードであり、確かに、他のモードでもよい。第1のPDUセッションのサービス継続モードは、本発明において具体的に限定されない。第1のセッションモード及び第2のセッションモードについて、UPFエンティティが再配置されてもよい。このように、第1のセッションモードのセッション及び第2のセッションモードのセッションは、それぞれ特定のエリア(例えば、UPFサービスエリア)に関係する。しかし、従来の解決策では、第1のセッションがアクティブ状態にあるとき、SMFエンティティがUPFエンティティを再配置することのみが定義される。しかし、SMFエンティティがセッション及びサービス継続第1セッションモードを使用するか、セッション及びサービス継続第2セッションモードを使用するかにかかわらず、第1のセッションが非アクティブ状態にある(UEがアイドル状態にあるか、或いはUEが接続状態にあるがセッションが非アクティブ状態にある)場合、どのようにUPFエンティティを再配置するかは定義されていない。その結果、UPFエンティティ再配置手順は、非アクティブ状態の第1のセッションについて実行されず、UEの位置は、UEが移動する際に第1のUPFエンティティのサービスエリアの外になり得る。したがって、UEが送信/受信されるべきデータを有し、接続状態に入ったとき、基地局は、第1のセッションをサービス提供するUPFエンティティへの接続を確立できず、UEは、通常では第1のセッション中にデータを受信/送信することができない。
【００９４】
或る態様では、UEが第1のPDUセッションをアクティブ化する(第1のPDUセッションのユーザプレーン接続を確立する)か、或いはページングに応答することを開始されるとき、SMFエンティティは、UEの位置と、第1のPDUセッションに対応するUPFサービスエリアと、第1のPDUセッションのモードと、キャリアポリシーとに基づいて、UPFエンティティが再配置される必要があるか否かを決定する。具体的には、UEの位置がUPFエンティティのサービスエリアの外にあると決定したとき、SMFエンティティは、UPFエンティティを再配置することを決定するか、或いはUEの位置がUPFエンティティのサービスエリアの外にあると決定したとき、SMFエンティティは、第1のPDUセッションのモード(第1のセッションモード又は第2のセッションモード)及び/又はキャリアポリシーを参照して、UPFエンティティを再配置することを決定する。UPFエンティティが指示される必要がある場合、SMFエンティティは、AMFエンティティを使用することにより、第1のPDUセッションの識別子と、第1のPDUセッションを再確立又は変更するために使用される指示とをUEに送信する。SMFエンティティが、N11メッセージを使用することにより、第1のPDUセッションの識別子と、第1のPDUセッションを再確立又は変更するために使用される指示とをAMFエンティティに送信した後に、AMFエンティティは、識別子及び指示をService  Acceptメッセージにカプセル化し、Service  AcceptメッセージをUEに送信してもよい。代替として、SMFエンティティは、識別子及び指示をN1  SM  informationにカプセル化してもよく、N1  SM  informationをAMFエンティティに送信し、次いで、AMFエンティティは、識別子及び指示をService  Acceptメッセージにカプセル化し、Service  AcceptメッセージをUEに送信する。UEが、第1のPDUセッションを搬送する識別子と、第1のPDUセッションを再確立するために使用される指示を受信した後に、UEは、第2のPDUセッションを確立することを要求する。第2のPDUセッションを確立するプロセスにおいて、SMFエンティティは、第2のPDUセッションをサービス提供する新たなUPFエンティティを選択する。UEが、第1のPDUセッションを搬送する識別子と、第1のPDUセッションを変更するために使用される指示とを受信した後、可能な実現方式では、UEは、PDUセッション変更手順をトリガし、具体的には、UEは、PDUセッション変更要求メッセージを送信し、他の更に可能な実現方式では、ネットワークは、PDUセッション変更手順をトリガする。セッション変更プロセスにおいて、第1のPDUセッションに対応するUPFエンティティは、第1のUPFエンティティから第2のUPFエンティティに再配置される。(本発明において第1のPDUセッションを再確立する実施形態では、確立された第2のPDUセッションが、第1のPDUセッションを置き換えるために使用されてもよいことが理解され得る。第2のPDUセッション及び第1のPDUセッションは、同じDNを有する。再確立が完了した後に、元の第1のPDUセッションは、シグナリング方式で削除されてもよく、或いはコアネットワーク側(例えば、SMFエンティティ/AMFエンティティ)及びUE側で削除されてもよく、具体的には、UEは、元の第1のPDUセッションをローカルで削除する。)
【００９５】
他の態様では、ひとたびUEが第1のPDUセッションに対応するエリア(例えば、UPFエンティティのサービスエリア)の外になると、UPFエンティティ再配置がトリガされる。この場合、UEがSMFエンティティと第1のPDUセッションを確立するプロセスにおいて、SMFエンティティは、UEに対して第1のPDUセッションに対応するエリアを提供する。このように、UEがアイドル状態にあるとき、且つ、UEが第1のPDUセッションに対応するエリアから出ることをUEが検出したとき、UEはNAS手順をトリガする(例えば、第1のPDUセッションに対応するエリアを更新するためにPDUセッション変更手順又は登録要求手順をトリガする、或いはサービス要求手順をトリガする)。このプロセスにおいて、SMFエンティティは、UPF再配置を実行するか否かを決定する。このように、データが失われないことを確保するために、UPFエンティティ再配置は、データが送信される前に実行されることが確保され得る。この実施形態では、第1のPDUセッションに対応するエリアは、第1のPDUセッションに対応するUPFエンティティのサービスエリア、UEを中心として使用することによりUPFエンティティのサービスエリアから選択された特定数の部分集合(例えば、特定数の基地局又は特定数のトラッキングエリア)、又はUEを中心として使用する、隣接UPFエンティティのサービスエリアの集合でもよい。
【００９６】
図４に示すように、図４は、本発明の実施形態に従ってセッション管理方法が適用されるシステムのアーキテクチャ図である。当該システムは、アクセス及びモビリティ管理機能AMFエンティティ10と、1つ以上のセッション管理機能SMFエンティティ20と、1つ以上のユーザ装置UE30と、データネットワーク(Data  Network,  DN)40と、1つ以上のユーザプレーン機能UPFエンティティ50と、アクセス局((Radio)  Access  Node,  (無線)アクセス局)60と、パケット制御機能(Packet  Control  Function,  PCF)エンティティ70と、アプリケーション機能(application  function,  AF)エンティティ80と、ユーザ加入情報を記憶するように構成された統一データ管理(Unified  Data  Management,  UDM)エンティティ90と、認証サーバ機能(Authentication  Server  Function,  AUSF)エンティティ00とを含む。
【００９７】
アクセス及びモビリティ管理機能AMFエンティティ10は、UE30により送信されたセッション接続確立要求に基づいてSMFエンティティを選択するように構成され、それにより、選択されたSMFエンティティは、UE30とUPFエンティティ50との間に第1のPDUセッションを確立する。
【００９８】
AMFエンティティ10は、SMFエンティティにより送信された第1のメッセージをユーザ装置に転送するように更に構成される。第1のメッセージは、ユーザ装置に対して第1のPDUセッションを確立することを要求するために使用される第2のメッセージ(例えば、セッション接続確立要求メッセージ)を送信するように命令するために使用される。第2のメッセージは、第1のPDUセッションを確立するように命令するために使用される。このように、第2のメッセージを受信した後に、SMFエンティティは、第2のメッセージに基づいてUE30とUPFエンティティとの間に第1のPDUセッションを確立し得る。
【００９９】
任意選択で、AMFエンティティ10は、第1のPDUセッションの識別子と、第1のPDUセッションを確立するSMFエンティティとの間のマッピング関係を記憶し、SMFエンティティにより構成された識別情報に基づいて、識別情報とSMFエンティティとの間のマッピング関係を確立するように構成される。このように、セッション再確立プロセスにおいて、AMFエンティティは、第1のPDUセッションの識別子に基づいて、セッション再確立要求が転送されるSMFエンティティを決定し得る。
【０１００】
任意選択で、AMFエンティティ10は、SMFエンティティにより送信された、第1のPDUセッションに対応するエリア、又はSMFエンティティにより送信された、第1のPDUセッションに対応するUPFエンティティのサービスエリアを受信し、第1のPDUセッションに対応するエリア又は第1のPDUセッションに対応するUPFエンティティのサービスエリアを記憶するように更に構成される。AMFエンティティは、UEにより送信されたサービス要求メッセージに基づいてUEの位置情報を取得し、UEの位置情報に基づいて、UEの位置が第1のPDUセッションに対応するエリアの外にあるか否かを決定し、次いで、UEの位置が第1のPDUセッションに対応するエリアの外にあると決定したとき、第1のPDUセッションを再確立することを決定するために使用される要求メッセージをUEに送信するか、或いはUEの位置情報又はUEの位置が第1のPDUセッションに対応するエリアの外にあることを示すメッセージをSMFエンティティに送信するように更に構成される。
【０１０１】
SMFエンティティ20は、UEと新たに割り当てられたUPFエンティティとの間に第2のPDUセッションを再確立するために、UE30の位置情報又はUE30により送信されたデータの特徴又はUPFエンティティ50とUE30との間の位置と、UPFエンティティのサービスの品質とに基づいて、UPFエンティティをUEに再割り当てするように構成され、それにより、再確立された第2のPDUセッションは、ユーザプレーンを最適化できる。SMFエンティティ20は、識別情報を構成するように更に構成される。識別情報は、AMFエンティティに対して第2のPDUセッションを再確立するために使用される要求をSMFエンティティに送信するように命令するために使用される。セッション管理機能エンティティ20は、プロトコルデータユニット(Protocol  Data  Unit,  PDU)セッションのようなUE30とUPFエンティティ50との間のセッションを確立するように更に構成される。PDUセッションは、UE30とDN40とを接続するために使用され、PDUセッションは、PDUデータパケットを提供するために使用される。
【０１０２】
SMFエンティティは、UEの位置情報と、UEの位置が第1のPDUセッションの外にあることを示す指示とを受信し、位置情報及び指示は、AMFエンティティにより送信され、UEの位置が、第1のPDUセッションに対応するエリアの外にあるとき、UEに対して第1のPDUセッションを置き換えるために第2のPDUセッションを確立するように命令する、ように更に構成される。SMFエンティティは、第1のPDUセッションに対応するエリアをUEに送信し、第1のPDUセッションに対応するエリア又は第1のPDUセッションに対応するUPFエンティティのサービスエリアをAMFエンティティに送信するように更に構成される。SMFエンティティは、UEの位置が第1のPDUセッションに対応するエリアの外にあるが、第1のPDUセッションに対応するUPFエンティティのサービスエリアの中にあると決定したとき、第1のPDUセッションに対応するエリアをUEに再配置するように更に構成される。
【０１０３】
本発明のこの実施形態におけるUEは、SMFエンティティにより送信された、第1のPUUセッションのエリアを受信し、UEの位置が第1のPDUセッションに対応するエリアの外にあるとき、AMFエンティティ/SMFエンティティに対して再配置を実行するようにトリガするために、UEの位置が第1のPDUセッションのエリアの外にあることを示す指示をAMFエンティティに送信するように構成される。
【０１０４】
複数のユーザ装置UE30は、確立されたセッションに基づいてDNと通信するように構成される。
【０１０５】
データネットワークDN40は、データサービスを提供するように構成された外部ネットワークである。
【０１０６】
アクセス局60は、UE30のためのデータサービスを提供し、例えば、UE30により送信されたデータを受信するか、或いはデータをUE30に送信するように構成される。アクセス局60は、実際の使用プロセスにおける基地局でもよい。本発明のこの実施形態では、基地局(base  station,  BS)は、ユーザ装置(user  equipment,  UE)と通信するデバイス又は中継局のような他の通信局でもよく、基地局は、特定の物理エリアにおいて通信カバレッジを提供してもよい。
【０１０７】
PCFエンティティ70は、無線周波数部分とパケットネットワーク(IPネットワーク)との間のインタフェースとして使用されるように構成される。
【０１０８】
AFエンティティ80は、ルーティングに作用するように構成される。
【０１０９】
例えば、図４に示すように、AMFエンティティ10及びSMFエンティティ20は、インタフェースN11を通じて互いに通信する。AMFエンティティ10及びUE30は、インタフェースN1を通じて互いに通信する。AMFエンティティ10及びアクセス局60は、インタフェースN2を通じて互いに通信する。AMFエンティティ10及びAUSFエンティティ00は、インタフェースN12を通じて互いに通信する。AMFエンティティ10及びUDMエンティティは、インタフェースN8を通じて互いに通信する。AMFエンティティ10及びPCFエンティティは、インタフェースN15を通じて互いに通信する。SMFエンティティ20及びUDMエンティティ90は、インタフェースN10を通じて互いに通信する。SMFエンティティ20及びUPFエンティティ50は、インタフェースN4を通じて互いに通信する。UPFエンティティ50及びデータネットワーク40は、インタフェースN6を通じて互いに通信する。PCFエンティティ及びAFエンティティは、インタフェースN5を通じて互いに通信する。
【０１１０】
図５は、本発明の実施形態によるAMFエンティティの概略構造図である。図５から、AMFエンティティ10は、プロセッサ101と、トランシーバ102と、メモリ104と、バス103とを含むことが習得され得る。トランシーバ102、プロセッサ101及びメモリ104は、バス103を使用することにより相互接続される。バス103は、PCIバス、EISAバス等でもよい。バスは、アドレスバス、データバス、制御バス等に分類されてもよい。表現の容易さのために、図５では1つの太線のみが使用されるが、これは1つのバス又は1つのタイプのバスのみが存在することを示すものではない。メモリ104は、AMFエンティティ10のプログラムコード及びデータを記憶するように構成される。トランシーバ102は、他のデバイスと通信する際にAMFエンティティ10をサポートするように構成される。プロセッサ101は、本発明の実施形態において提供されるセッション管理方法を実現するために、メモリ104に記憶されたプログラムコード及びデータを実行する際にAMFエンティティ10をサポートするように構成される。
【０１１１】
図６は、本発明の実施形態によるSMFエンティティの概略構造図である。図６から、SMFエンティティ20は、プロセッサ201と、トランシーバ202と、メモリ204と、バス203とを含むことが習得され得る。トランシーバ202、プロセッサ201及びメモリ204は、バス203を使用することにより相互接続される。バス203は、PCIバス、EISAバス等でもよい。バスは、アドレスバス、データバス、制御バス等に分類されてもよい。表現の容易さのために、図６では1つの太線のみが使用されるが、これは1つのバス又は1つのタイプのバスのみが存在することを示すものではない。メモリ204は、SMFエンティティ20のプログラムコード及びデータを記憶するように構成される。トランシーバ202は、他のデバイスと通信する際にSMFエンティティ20をサポートするように構成される。プロセッサ201は、本発明の実施形態において提供されるセッション管理方法を実現するために、メモリ204に記憶されたプログラムコード及びデータを実行する際にSMFエンティティ20をサポートするように構成される。
【０１１２】
図７は、本発明の実施形態によるユーザ装置の概略構造図である。図７から、ユーザ装置30は、プロセッサ301と、トランシーバ302と、メモリ304と、バス303とを含むことが習得され得る。トランシーバ302、プロセッサ301及びメモリ304は、バス303を使用することにより相互接続される。バス303は、PCIバス、EISAバス等でもよい。バスは、アドレスバス、データバス、制御バス等に分類されてもよい。表現の容易さのために、図７では1つの太線のみが使用されるが、これは1つのバス又は1つのタイプのバスのみが存在することを示すものではない。メモリ304は、ユーザ装置30のプログラムコード及びデータを記憶するように構成される。トランシーバ302は、他のデバイスと通信する際にユーザ装置30をサポートするように構成される。プロセッサ301は、本発明の実施形態において提供されるセッション管理方法を実現するために、メモリ304に記憶されたプログラムコード及びデータを実行する際にユーザ装置30をサポートするように構成される。
【０１１３】
本発明の実施形態では、UEは、全体の無線ネットワークに分布してもよく、各UEは、静止していてもよく、或いは移動中でもよい。
【０１１４】
UEは、端末(terminal)、移動局(mobile  station)、加入者ユニット(subscriber  unit)、局(station)等でもよい。UEは、セルラ電話(cellular  phone)、パーソナルデジタルアシスタント(personal  digital  assistant,  PDA)、無線モデム(Modem)、無線通信デバイス、ハンドヘルド(handheld)デバイス、ラップトップコンピュータ(laptop  computer)、コードレス電話(cordless  phone)、無線ローカルループ(wireless  local  loop,  WLL)局等でもよい。UEがM2M方法における通信に適用されるとき、UEは、M2M端末と呼ばれてもよく、具体的には、M2M通信をサポートするスマートメータ、スマート機器等でもよい。
【０１１５】
図８に示すように、図８は、本発明の実施形態において提供されるセッション管理方法を示す。ユーザ装置UEは、第1のプロトコルデータユニットPDUセッションを有し、当該方法は以下のステップを含む。
【０１１６】
S101.UEは、サービス要求メッセージをアクセス及びモビリティ管理機能AMFエンティティに送信する。
【０１１７】
S102.アクセス及びモビリティ管理機能AMFエンティティが、UEにより送信されたサービス要求メッセージが受信されたと決定した後に、AMFエンティティは、UEの位置情報を取得し、位置情報は、UEの位置を決定するために使用される。
【０１１８】
任意選択で、UEの位置情報は、UEが位置する基地局の基地局識別子(ID等)、UEが位置するセルのID、又は基地局が位置するトラッキングエリアのトラッキングエリア識別子(TAI)でもよい。
【０１１９】
S103.UEが第1のPDUセッションに対応するエリアから出ると決定したとき、AMFエンティティは、第1のメッセージをUEに送信し、第1のメッセージは、第1のPDUセッションを再確立又は変更するように命令するために使用される。
【０１２０】
任意選択で、第1のPDUセッションに対応するエリアは、以下の場合、すなわち、第1のPDUセッションに対応するUPFエンティティのサービスエリア、第1のPDUセッションに対応するUPFエンティティのサービスエリアからUEの位置を中心として使用することにより選択された部分エリア、第1のPDUセッションに対応するUPFエンティティのサービスエリア及びUPFエンティティと同じ機能を有する隣接UPFエンティティのサービスエリアを参照してSMFエンティティにより生成されたエリア、登録(registration)エリア及びUPFエンティティのサービスエリアを参照してSMFエンティティにより決定されたエリアであり、registrationエリアがAMFエンティティによりUEに割り当てられてSMFエンティティにより受信されたエリア、例えば、registrationエリアとUPFエンティティのサービスエリアの交差集合若しくはregistrationエリアとUPFエンティティのサービスエリアの交差集合の部分集合が第1のPDUセッションに対応するエリアとして選択されるエリア、又は第1のPDUセッションに対応し且つregistrationエリア、選択されたUPFエンティティのサービスエリア及びUPFエンティティと同じ機能を有する隣接UPFエンティティのサービスエリアを参照してSMFエンティティにより生成されたエリアであり、registrationエリアは、AMFエンティティによりUEに割り当てられてSMFエンティティにより受信されるエリアを含んでもよい。
【０１２１】
S104.UEは、AMFエンティティにより送信された第1のメッセージを受信する。
【０１２２】
S105.UEは、第1のメッセージに基づいて第1のPDUセッションを再確立又は変更する。
【０１２３】
第1のメッセージは、UEにより第1のPDUセッションを再確立又は変更するためのトリガ条件の1つでもよいことに留意すべきである。UEは、代替として、第1のメッセージ及び他の条件に基づいて、第1のPDUセッションを再確立又は変更してもよい。例えば、UEは、第1のPDUセッションのSSCモードが第1のセッションモードであるか第2のセッションモードであるかを決定する必要がある。他の条件は、本発明において具体的に記載又は限定されない。
【０１２４】
本発明のこの実施形態において提供されるセッション管理方法では、UEは、サービス要求メッセージをAMFエンティティに送信し、次いで、AMFエンティティは、第1のPDUセッションを再確立することを決定するために使用される第1のメッセージをUEに送信する。このように、以降に送信又は受信される必要があるデータが失われないことを確保するために、データが送信又は受信される必要がある前に第1のPDUセッションが再確立される必要がある。
【０１２５】
任意選択で、或る態様では、本発明のこの実施形態における第1のメッセージは、AMFエンティティによりUEに送信されるサービス受付(Service  Accept)メッセージである。サービス受付メッセージは、第1のPDUセッションの識別子及び第1の指示を搬送し、識別子は、第1のPDUセッションを識別するために使用され、第1の指示は、PDUセッションを再確立又は変更するように命令するために使用される。第1の識別子及び第1の指示は結合され、第1のPDUセッションを再確立又は変更することを決定するためにUEにより使用されてもよいことが理解され得る。代替として、サービス受付メッセージは、第1のPDUセッションの識別子を搬送し、UEは、識別子に基づいて、第1のPDUセッションの状態又はDRBの構成を参照して、第1のPDUセッションを再確立することを決定する。例えば、サービス受付メッセージは第1のPDUセッションの識別子を搬送し、サービス受付メッセージで搬送されるPDUセッションの状態は、コアネットワーク側の第1のPDUセッションの状態が「利用不可」であることを示す。この場合、UEは、第1のPDUセッションの識別子及び第1のPDUセッションの状態に基づいて、第1のPDUセッションを再確立することを決定する。代替として、サービス受付メッセージは、第1のPDUセッションの識別子を搬送し、UEにより受信された無線リソース制御(Radio  Resource  Control,  RRC)再構成メッセージは、第1のPDUセッションに対応するDRB構成を含まない。この場合、UEは、第1のPDUセッションを再確立又は変更することを決定する。
【０１２６】
代替として、サービス受付メッセージは第1の指示のみを搬送し、第1の指示は、UEがアクティブ化することを要求するPDUセッションを再確立又は変更するように命令するために使用される。この場合、対応して、UEは、アクティブ化される必要があるセッションの識別子をサービス要求メッセージに追加し、コアネットワークは、UEの位置に基づいて、全ての識別子に対応するセッションが再確立又は変更される必要があると決定する。
【０１２７】
他の態様では、本発明のこの実施形態における第1のメッセージは、AMFエンティティによりUEに送信されるサービス拒否メッセージである。サービス拒否メッセージは、第1のPDUセッションの識別子及び原因値を搬送し、識別子は、第1のPDUセッションを識別するために使用され、原因値は、UEがPDUセッションに対応するエリアから出ることを示す。原因値は、UEの位置が識別子に関連する第1のPDUセッションに対応するエリアの外にあることを基本的に示すことが理解され得る。確かに、本発明のこの実施形態におけるサービス拒否メッセージは、代替として、原因値のみを搬送してもよく、この場合、原因値は、UEがアクティブ化することを要求するPDUセッションを再確立又は変更するように命令するために使用される。
【０１２８】
第1のPDUセッションの識別子は、識別子が第1のPDUセッションを一意に識別できることを条件として、本発明のこの実施形態において限定されない。
【０１２９】
第1のメッセージで搬送される内容は、第1のメッセージの異なるタイプにより異なる。異なる第1のメッセージタイプ及びメッセージ内容について、本発明のこの実施形態におけるステップS105も異なる。したがって、以下に詳細を詳細に説明する。
【０１３０】
或る態様では、第1のメッセージが第1のPDUセッションの識別子及び第1の指示を搬送するとき、ステップS105は、具体的に以下の方式で実現されてもよい。
【０１３１】
S1051a.第1の指示が第1のPDUセッションを再確立するように命令するために使用される場合、UEは、識別子及び第1の指示に基づいて第1のPDUセッションを再確立することを決定する。
【０１３２】
S1051b.第1の指示が第1のPDUセッションを変更するように命令するために使用される場合、UEは、識別子及び第1の指示に基づいて第1のPDUセッションを変更することを決定する。
【０１３３】
他の態様では、第1のメッセージが第1のPDUセッションの識別子を搬送するとき、ステップS105は、以下の方式で具体的に実現されてもよい。
【０１３４】
S1051c.UEは、第1のPDUセッションの識別子に基づいて第1のPDUセッションを再確立又は変更することを決定する。
【０１３５】
更に他の態様では、第1のメッセージがサービス拒否メッセージであり、サービス拒否メッセージは、第1のPDUセッションの識別子及び原因値を搬送するとき、ステップS105は、以下の方式で具体的に実現されてもよい。
【０１３６】
S1051d.UEは、識別子及び原因値に基づいて識別子に関連する第1のPDUセッションを再確立又は変更することを決定する。
【０１３７】
本発明のこの実施形態では、ステップS105の後に、本発明のこの実施形態において提供される方法は、以下のステップを更に含むことが理解され得る。
【０１３８】
S106.UEは、第2のメッセージをSMFエンティティに送信し、第2のメッセージは、第1のPDUセッションを再確立又は変更することを要求するために使用される。
【０１３９】
任意選択で、本発明のこの実施形態におけるステップS106は、下記の方式で具体的に実現されてもよい。
【０１４０】
AMFエンティティにより送信された第1のメッセージが、UEに対して第1のPDUセッションを再確立するように命令するために使用される場合、UEは、AMFエンティティを使用することにより、第1のPDUセッションを再確立するために使用される第2のメッセージをSMFエンティティに送信する。第2のメッセージは、PDUセッション確立要求(PDU  session  establishment  request)メッセージでもよい。
【０１４１】
AMFエンティティにより送信された第1のメッセージが、UEに対して第1のPDUセッションを変更するように命令するために使用される場合、UEは、AMFエンティティを使用することにより、第1のPDUセッションを変更するために使用される第2のメッセージをSMFエンティティに送信する。第2のメッセージは、PDUセッション変更要求(PDU  session  modification  request)メッセージでもよい。代替として、第1のPDUセッションを変更するために使用される第1のメッセージを受信した後に、UEは、SMFエンティティにより送信されたPDUセッション変更コマンド(PDU  session  modification  command)を待機する。UEがSMFエンティティにより送信されたPDUセッション変更コマンドを受信しない場合、UEは、第1のPDUセッションを変更するために使用される第2のメッセージをAMFエンティティに送信する。(例えば、UEはタイマーを設定し、タイマーが終了するときにUEがPDUセッション変更コマンドを受信しない場合、PDUセッション変更要求を送信する)。
【０１４２】
ステップS106の後に、本発明のこの実施形態において提供される方法は、以下のステップを更に含むことが理解され得る。
【０１４３】
S107.SMFエンティティは、UEと第2のPDUセッションを確立するために、第2のメッセージ(PDU  session  establishment  request)に基づいて、第2のUPFエンティティを選択するか、或いは第1のPDUセッションをサービス提供するために、第2のメッセージ(PDU  session  modification  request)に基づいて、第2のUPFエンティティを選択し、同時に、第2のUPFエンティティに対応するIPアドレス、QoSフローテンプレート(パケットフィルタ及び優先度)等を更新する。
【０１４４】
この場合、ステップS107において、SMFエンティティは、第1のセッションモードに基づいて第2のPDUセッションを確立してもよく、或いは第2のセッションモードに基づいて第2のPDUセッションを確立してもよい。これは、本発明のこの実施形態において限定されない。
【０１４５】
本発明のこの実施形態では、AMFエンティティがユーザ装置により送信されたサービス要求メッセージを受信した後、AMFエンティティは、UPF再配置を実行してもよく(具体的には、AMFエンティティは、第1のメッセージのような第1のPDUセッションを再確立するために使用される指示をUEに直接送信する)、或いはSMFエンティティは、UPF再配置を実行してもよい(具体的には、SMFエンティティが、UEが第1のPDUセッションに対応するエリアから出ると決定したとき、又はUEが第1のPDUセッションに対応するUPFエンティティのサービスエリアから出ると決定したとき、SMFエンティティは、第1のPDUセッションを再確立するために使用されるパラメータをAMFエンティティに送信し、次いで、AMFエンティティは、第1のPDUセッションを再確立するために使用されるパラメータをカプセル化し、次いで、カプセル化されたパラメータをUEに送信する)。
【０１４６】
例えば、AMFエンティティは、以下の方式でUPF再配置を実行してもよい。
【０１４７】
UEにより送信されたサービス要求メッセージを受信した後に、AMFエンティティは、UEの位置情報と第1のPDUセッションに対応するエリアとの間の関係に基づいて、第1のメッセージをUEに送信するか否かを直接決定してもよい(この場合、AMFエンティティは、少なくとも第1のPDUセッションに対応するエリアを記憶する必要があることが理解され得る。AMFエンティティにより、第1のPDUセッションに対応するエリアを取得する実現方式は、以下の通りである。第1のPDUセッションが確立又はアクティブ化されるとき、SMFエンティティは、第1のPDUセッションに対応するエリアをAMFエンティティに送信するか、或いは第1のPDUセッションが確立又はアクティブ化された後に、SMFエンティティがAMFエンティティからUEのモビリティイベント通知にサブスクライブするとき、SMFエンティティは、AMFエンティティに対して第1のPDUセッションに対応するエリアを提供する。エリアは、第1のPDUセッションに対応するUPFエンティティのUPFサービスエリアでもよく、或いはUEの位置を中心として使用するUPFサービスエリアの部分集合でもよい。AMFエンティティにより、第1のPDUセッションに対応するエリアを取得する他の実現方式は、以下の通りである。第1のPDUセッションが確立又はアクティブ化されるとき、SMFエンティティは、選択されたUPFエンティティの識別子をAMFエンティティに送信し、AMFエンティティは、UPFエンティティの識別子及びネットワークトポロジ構造に基づいてUPFサービスエリアを取得する。具体的には、AMFエンティティは、UEの位置が第1のPDUセッションに対応するエリアの外にあると決定したとき、第１のメッセージをUEに送信するか、或いはUEの位置が第1のPDUセッションに対応するエリアの外にあると決定したとき、AMFエンティティは、UEの位置及び/又はUEの位置が第1のPDUセッションに対応するエリアから出ることを示す指示をSMFエンティティに送信する。)

【０１４８】
例えば、SMFエンティティは、以下の方式でUPF再配置を実行してもよい。
【０１４９】
UEが第1のPDUセッションに対応するエリアから出ると決定したとき、AMFエンティティは、UEの位置情報及び/又は指示情報をSMFエンティティに送信する。指示情報は、UEがPDUセッションに対応するエリアから出ることを示すために使用される。AMFエンティティは更に、SMFエンティティに対して第1のPDUセッションの識別子を提供する必要があり、それにより、SMFエンティティは、識別子及び指示情報に基づいて、UEが第1のPDUセッションに対応するエリアから出ると決定することが理解され得る。
【０１５０】
代替として、AMFエンティティは、UEにより送信されたサービス要求メッセージを受信した後に、UEの位置情報を取得する。この場合、AMFエンティティは、UEの位置情報をSMFエンティティに直接送信する。SMFエンティティがUEの位置情報及び/又は指示情報を受信した後に、SMFエンティティは、UEの位置が第1のPDUセッションに対応するエリアの外又は第1のPDUセッションに対応するUPFエンティティのサービスエリアの外にあるか否かを決定し、SMFエンティティは、UEの位置が第1のPDUセッションに対応するエリアの外又は第1のPDUセッションに対応するUPFエンティティのサービスエリアの外にあると決定したとき、第1のパラメータをAMFエンティティに送信する。第1のパラメータは、第1のPDUセッションの識別子及び第1の指示を含むか、或いは第1のパラメータは、第1のPDUセッションの識別子及び原因値を含む。SMFエンティティは、第1のパラメータをAMFエンティティに直接送信してもよく、或いはSMFエンティティは、第1のパラメータをN1  SM  informationとしてカプセル化し、次いでNI  SM  informationをAMFエンティティに送信してもよい。SMFエンティティによりAMFエンティティに直接送信される第1のパラメータについて、AMFエンティティは、第1のパラメータをサービス受付メッセージにカプセル化するか、或いは第1のPDUセッションの識別子及び原因値をサービス拒否メッセージにカプセル化し、次いでサービス受付メッセージ又はサービス拒否メッセージをUEに送信する。SMFエンティティがN1  SM  informationを使用することにより第1のパラメータをAMFエンティティに送信する方式について、AMFエンティティは、受信したN1  SM  informationをサービス受付メッセージ又はサービス拒否メッセージに直接カプセル化し、サービス受付メッセージ又はサービス拒否メッセージをUEに送信する。第1のパラメータは、SMFエンティティによりカプセル化され、次いでAMFエンティティによりUEに透過的に送信されてもよく、或いはSMFエンティティによりAMFエンティティに送信され、次いでAMFエンティティによりUEに送信されてもよいことが理解され得る。
【０１５１】
本発明のこの実施形態では、図８を参照してAMFエンティティがUPFエンティティ再配置を実行する必要があると決定するシナリオにおいて、図９Ａに示すように、ステップS102の前に、本発明のこの実施形態において提供される方法は以下のステップを更に含む。
【０１５２】
S108.SMFエンティティは、第1のPDUセッションに対応するエリアをAMFエンティティに送信するか、或いはSMFエンティティは、第1のPDUセッションに対応するUPFエンティティのサービスエリアをAMFエンティティに送信し、UPFエンティティのサービスエリアは、少なくとも第1のPDUセッションに対応するエリア又は第1のPDUセッションについて選択されたUPFエンティティの識別子を含む。
【０１５３】
AMFエンティティが第1のPDUセッションに対応するUPFエンティティのサービスエリアを受信したとき、AMFエンティティは、UPFエンティティのサービスエリアから、第1のPDUセッションに対応するエリアを決定してもよいことが理解され得る。このように、AMFエンティティは、UEの位置に基づいて、UEが第1のPDUセッションに対応するエリアの外にあるか否かを決定し得る。
【０１５４】
S109.AMFエンティティは、第1のPDUセッションに対応するエリアを記憶するか、或いはAMFエンティティは、第1のPDUセッションに対応するUPFエンティティのサービスエリアを記憶する。
【０１５５】
図１０Ａ及び図１０Ｂに示すように、図１０Ａ及び図１０Ｂは、セッション管理方法の他の実現方式を示す。図１０Ａ及び図１０Ｂと図８並びに図９Ａ及び図９Ｂのそれぞれとの間の違いは、図８並びに図９Ａ及び図９Ｂにおいて、AMFエンティティがUPFエンティティ再配置を実行するが、図１０Ａ及び図１０Ｂにおいて、SMFエンティティがUPFエンティティ再配置を実行する点にある。
【０１５６】
対応して、ステップS103は、以下の方式で更に実現されてもよい。
【０１５７】
S110.AMFエンティティは、要求メッセージをSMFエンティティに送信し、要求メッセージは、UEの位置が第1のPDUセッションに対応するエリアの外にあるか否かを決定するためにSMFエンティティにより使用されてもよい。
【０１５８】
任意選択で、要求メッセージは、UEの位置情報を搬送するか、或いは第2の指示を搬送する。第2の指示は、UEの位置が第1のPDUセッションに対応するエリアの外にあるか否かを示すために使用される。
【０１５９】
S111.SMFエンティティは、要求メッセージに基づいて、UEの位置が第1のPDUセッションに対応するUPFエンティティのサービスエリアの外にあるか否かを決定し、UEの位置が第1のPDUセッションに対応するUPFエンティティのサービスエリアの外にある場合、S112を実行する。
【０１６０】
S112.SMFエンティティが、UEの位置が第1のPDUセッションに対応するUPFエンティティのサービスエリアの外にあると決定したとき、SMFエンティティは、AMFエンティティを使用することにより第1のパラメータをUEに送信し、第1のパラメータは、第1のPDUセッションを再確立又は変更するように命令するために使用される。
【０１６１】
任意選択で、第1のパラメータは、第1のPDUセッションの識別子及び第1の指示を含み、識別子は、第1のPDUセッションを識別するために使用され、第1の指示は、UEに対してPDUセッションを再確立又は変更するように命令するために使用される。
【０１６２】
任意選択で、ステップS112は、以下の方式で更に具体的に実現されてもよい。
【０１６３】
S112a.SMFエンティティは、第1のPDUセッションのセッション継続モードを決定する。
【０１６４】
S112b.SMFエンティティが、第1のPDUセッションのセッション継続モードが第1のセッションモード又は第2のセッションモードであると決定し、UEの位置が第1のPDUセッションに対応するUPFエンティティのサービスエリアの外にあると決定したとき、SMFエンティティは、AMFエンティティを使用することにより、第1のパラメータをUEに送信する。
【０１６５】
S113.第1のパラメータを受信した後に、AMFエンティティは、第1のパラメータをサービス受付メッセージにカプセル化し、サービス受付メッセージをUEに送信する。
【０１６６】
対応して、図１１Ａに示すように、ステップS103は、代替として以下の方式で実現されてもよい。
【０１６７】
S114.AMFエンティティは、UEの位置が第1のPDUセッションに対応するエリアの外にあるか否かを決定し、UEの位置が第1のPDUセッションに対応するエリアの外にある場合、S115を実行する。
【０１６８】
S115.AMFエンティティは、UEの位置が第1のPDUセッションに対応するエリアの外にあると決定したとき、第2のメッセージをSMFエンティティに送信し、第2のメッセージは、SMFエンティティ対して第3のメッセージを送信するようにトリガするために使用される。
【０１６９】
任意選択で、第2のメッセージは、UEの位置情報又は第2の指示を搬送する。第2の指示は、UEの位置が第1のPDUセッションに対応するエリアの外にあることを示すために使用される。
【０１７０】
S116.AMFエンティティは、SMFエンティティにより送信された第3のメッセージを受信し、第3のメッセージは、第1のPDUセッションの識別子及び第1の指示を搬送する。
【０１７１】
S117.AMFエンティティは、第1のPDUセッションの識別子及び第1の指示を第1のメッセージとしてカプセル化し、次いで、第1のメッセージをUEに送信する。
【０１７２】
図１１Ａ及び図１１Ｂと図１０Ａ及び図１０Ｂとの間の比較を通じて、図１１Ａ及び図１１Ｂと図１０Ａ及び図１０Ｂとの間の違いは以下の点にあることが習得され得る。図１０Ａ及び図１０Ｂでは、AMFエンティティは、UEの位置情報をSMFエンティティに送信するだけであり、SMFエンティティは、UEの位置が第1のPDUセッションに対応するエリアの外にあるか否かを決定する。しかし、図１１Ａ及び図１１Ｂでは、AMFエンティティは、UEの位置と、AMFエンティティに記憶された、第1のPDUセッションに対応するエリア、又はAMFエンティティに記憶された、第1のPDUセッションに対応するUPFエンティティのサービスエリアとに基づいて、UEの位置が第1のPDUセッションに対応するエリアの外にあると決定した後に、トリガメッセージをSMFエンティティに送信し、この場合、SMFエンティティは、UEの位置が第1のPDUセッションに対応するエリアの外にあるか否かを決定することなく、第3のメッセージをAMFエンティティに直接送信できる。
【０１７３】
図１１Ａに示す実施形態では、SMFエンティティは、ステップS103の前にS108を実行する必要があることに留意すべきである。しかし、図１０Ａに示す実施形態では、ステップS108及びS109は省略されてもよい。
【０１７４】
図８から図１１Ａ及び図１１Ｂに示すセッション管理方法では、S101が実行される前に、第1のPDUセッションが第1のUPFエンティティを使用することによりUEとSMFエンティティとの間に確立されることが理解され得る。
【０１７５】
上記の実施形態では、UPFエンティティ再配置プロセスは、AMFエンティティ及びSMFエンティティを実行主体として使用することによりトリガされることが記載されている。実際の使用プロセスにおいて、UPFエンティティ再配置プロセスは、UEによりトリガされてもよいことが理解され得る。UEがUPFエンティティ再配置をトリガする例が、以下の実施形態における説明に使用される。
【０１７６】
UEによりトリガされるUPFエンティティ再配置プロセスにおいて、UEは、セッション変更(PDU  Session  Modification)手順を使用することによりUPFエンティティ再配置をトリガしてもよく、或いはサービス要求(Service  Request)手順を使用することによりUPFエンティティ再配置をトリガしてもよく、或いは登録(Registration)手順を使用することによりUPFエンティティ再配置をトリガしてもよい。UEがAMFエンティティ又はSMFエンティティと相互作用するプロセスにおいて、異なるシグナリングが異なるトリガ手順において生成される。したがって、異なるトリガ手順の具体的な実現プロセスを以下に個別に説明する。
【０１７７】
図１２Ａ、図１２Ｂ及び図１２Ｃに示すように、図１２Ａ、図１２Ｂ及び図１２Ｃは、UEがセッション変更手順を使用することによりUPFエンティティ再配置をトリガし、ターゲットエンティティがSMFエンティティである例を使用することにより、本発明の実施形態による他のセッション管理方法を示す。当該方法は以下のステップを含む。
【０１７８】
S201.ユーザ装置UEが第1のプロトコルデータユニットPDUセッションを確立するプロセスにおいて、SMFエンティティは、第1のメッセージをUEに送信し、第1のメッセージは、第1のPDUセッションに対応するエリアを含む。
【０１７９】
第1のPDUセッションに対応するエリアを含む第1のメッセージは、AMFエンティティを使用することにより、SMFエンティティによりUEに転送されることが理解され得る。
【０１８０】
任意選択で、第1のメッセージは、少なくとも第1のPDUセッションに対応するエリアを搬送する。
【０１８１】
任意選択で、第1のPDUセッションに対応するエリアは、以下の場合、すなわち、第1のPDUセッションに対応するUPFエンティティのサービスエリア、第1のPDUセッションに対応するUPFエンティティのサービスエリアからUEの位置を中心として使用することにより選択された部分エリア、第1のPDUセッションに対応するUPFエンティティのサービスエリア及びUPFエンティティと同じ機能を有する隣接UPFエンティティのサービスエリアを参照してSMFエンティティにより生成されたエリア、登録(registration)エリア及びUPFエンティティのサービスエリアを参照してSMFエンティティにより決定されたエリアであり、registrationエリアがAMFエンティティによりUEに割り当てられてSMFエンティティにより受信されたエリア、例えば、registrationエリアとUPFエンティのサービスエリアの交差集合若しくはregistrationエリアとUPFエンティティのサービスエリアの交差集合の部分集合が第1のPDUセッションに対応するエリアとして選択されるエリア、又は第1のPDUセッションに対応し且つregistrationエリア、選択されたUPFエンティティのサービスエリア及びUPFエンティティと同じ機能を有する隣接UPFエンティティのサービスエリアを参照してSMFエンティティにより生成されたエリアであり、registrationエリアは、AMFエンティティによりUEに割り当てられてSMFエンティティにより受信されるエリアを含んでもよい。
【０１８２】
S202.UEは、SMFエンティティにより送信された第1のメッセージを受信し、第1のPDUセッションに対応するエリアを記憶し、第1のメッセージは、第1のPDUセッションに対応するエリアを含む。
【０１８３】
S203.UEが第1のPDUセッションに対応するエリアから出るとき、UEは、第2のメッセージをSMFエンティティに送信し、第2のメッセージは、UEの位置が第1のPDUセッションに対応するエリアの外にあること、すなわち、UEが第1のPDUセッションに対応するエリアから出ることを示すために使用される。
【０１８４】
UEが第1のPDUセッションに対応するエリアから出ることは、UEにより第2のメッセージを送信するための条件の1つでもよいことに留意すべきである。UEが第2のメッセージを送信する前に満たす必要がある他の条件は、本発明において具体的に限定又は記載されない。
【０１８５】
例えば、第2のメッセージは、UEによりSMFエンティティに送信されるPDUセッション変更要求メッセージである。PDUセッション変更要求メッセージは、UEの位置情報と第2の指示とのうち少なくとも1つを搬送する。第2の指示は、UEが第1のPDUセッションに対応するエリアから出ることを示すために使用される。
【０１８６】
この出願において提供されるセッション管理方法では、UEが第1のPDUセッションを確立するプロセスにおいて、SMFエンティティは、UEに対して第1のPDUセッションに対応するエリアを提供する。このように、UEがアイドル状態にあるとき、ひとたびUEが第1のPDUセッションに対応するエリアの外になると、UEは、第1のPDUセッションに対応するエリアを更新するようにPDUセッション変更要求メッセージをトリガする。このプロセスにおいて、SMFエンティティはUPF再配置を実行する。したがって、データが失われないことを確保するために、UPFエンティティ再配置は、データが送信される前に実行されることが確保され得る。
【０１８７】
ステップS203においてUEによりSMFエンティティに送信される第2のメッセージは、AMFエンティティを使用することによりSMFエンティティに送信されることが理解され得る。具体的には、図１２Ａに示すように、UEは、N1要求メッセージをAMFエンティティに送信する。N1要求メッセージは、第1のPDUセッションの識別子及びPDUセッション変更要求メッセージを搬送する。N1メッセージを受信した後に、AMFエンティティは、第1のPDUセッションの識別子に基づいて、N11要求メッセージをSMFエンティティに送信する。N11要求メッセージは、第1のPDUセッションの識別子及びPDUセッション変更要求メッセージを搬送する。
【０１８８】
例えば、第2のメッセージは、UEによりSMFエンティティに送信されるPDUセッション変更要求メッセージである。PDUセッション変更要求メッセージは、UEの位置情報と第2の指示とのうち少なくとも1つを搬送する。第2の指示は、UEが第1のPDUセッションに対応するエリアから出ることを示すために使用される。UEは更に、第1のPDUセッションの識別子をPDUセッション変更要求メッセージに追加する必要があることが理解され得る。第1のPDUセッションの識別子及び第2の指示を参照して、SMFエンティティは、UEが第1のPDUセッションに対応するエリアから出ると決定できる。
【０１８９】
本発明のこの実施形態の態様では、UEの位置が第1のPDUセッションに対応するエリアの外にあると決定したとき、UEは第2のメッセージをSMFエンティティに直ちに送信できる。この場合、UEが現時点でアイドル状態にある場合、UEはアイドル状態から接続状態に直ちに切り替えられ、第2のメッセージをSMFエンティティに送信する。他の態様では、UEの位置が第1のPDUセッションに対応するエリアの外にあるとUEが決定したとき、この場合、UEがアイドル状態にある場合には、UEがアイドル状態から接続状態に直ちに切り替えられなくてもよく、その代わりに、UEは、通常の要件に基づいて或る期間アイドル状態で保持し続け、UEがデータを送信する必要があるか、或いはネットワークページングを受信するときにのみアイドル状態から接続状態に切り替えられ、UEは、第2のメッセージをターゲットエンティティに送信する。具体的には、UEの位置が第1のPDUセッションに対応するエリアの外にあることは、UEによりアイドル状態から接続状態に入るためのトリガ条件として使用できない。
【０１９０】
したがって、実現方式では、第1のメッセージは、第1の指示を更に含む。第1の指示は、UEの位置が第1のPDUセッションに対応するエリアの外にあるとUEが決定した後、且つUEの状態がアイドル状態から接続状態に切り替えられるとき、又はUEが第1のPDUセッション中に到着するアップリンクデータを有するとき、UEに対して第2のメッセージをターゲットエンティティに送信するように命令するために使用される。
【０１９１】
本発明のこの実施形態では、UEがアイドル状態から接続状態に入ることは、上記の説明を意味し、UEがアイドル状態にあるとき、UEはアイドル状態から接続状態に直ちに切り替えられず、その代わりに、UEは通常の要件に基づいて或る期間アイドル状態で保持し続け、UEがデータを送信するか或いはページングに応答する必要があるときにのみアイドル状態から接続状態に切り替えられることが理解され得る。接続状態に入った後に、UEはUPF再配置を実行するために第2のメッセージを送信する。
【０１９２】
他の実施形態では、第1のメッセージは、第1の指示を更に含む。第1の指示は、UEの位置が第1のPDUセッションに対応するエリアの外にあるとUEが決定した後に、UEに対して第2のメッセージをターゲットエンティティに直ちに送信するように命令するために使用される。
【０１９３】
本発明のこの実施形態では、UEの位置が第1のPDUセッションに対応するエリアの外にあるとUEが決定したとき、UEは、第2のメッセージをターゲットエンティティに直ちに送信するか、UEがアイドル状態から接続状態に切り替えられる必要があるときにのみ第2のメッセージをターゲットエンティティに送信するかを能動的に決定してもよいことが理解され得る。UEが第2のメッセージをターゲットメッセージに送信することを能動的に決定したとき、第1のメッセージ内の第1の指示は省略されてもよい。
【０１９４】
任意選択で、UEは、UEがアイドル状態から接続状態に切り替えられる必要があるときにのみ、第2のメッセージをSMFエンティティに送信するので、本発明のこの実施形態において提供される方法は、以下のステップを更に含む。S204.UEの位置が第1のPDUセッションに対応するエリアの外にあると決定したとき、UEは、第1のPDUセッションを更新対象の状態でマーキングし、更新対象の状態は、UEの位置が第1のPDUセッションに対応するエリアの外にあることを示すために、UEがアイドル状態から接続状態に切り替えられるとき、UEに対して第2のメッセージをUEに送信するように促すために使用される。
【０１９５】
具体的には、UEの位置が第1のPDUセッションに対応するエリアの外にあるとUEが決定したとき、この場合、UEがアイドル状態にあり、接続状態に直ちに切り替えられる必要がない場合、UEは、まず第1のPDUセッションを更新対象の状態でマークする。このように、UEは、UEがアイドル状態から接続状態に切り替えられる必要があるとき、又はUEが第1のPDUセッション中に到着するアップリンクデータを有するとき、第2のメッセージをターゲットエンティティに送信する。
【０１９６】
S205.SMFエンティティは、UEにより送信され且つUEが第1のPDUセッションに対応するエリアから出ることを示すために使用される第2のメッセージを受信する。
【０１９７】
S206.SMFエンティティは、第2のメッセージに基づいて第1のPDUセッションに対応するエリアを更新するか、或いは第1のPDUセッションをサービス提供するために、第2のメッセージに基づいて第2のUPFエンティティを再選択する。
【０１９８】
任意選択で、第2のメッセージはUEの位置情報を搬送し、ステップS206は、以下の方式で具体的に実現されてもよい。第1のPDUセッションのセッション及びサービス継続モードが第1のセッションモード又は第2のセッションモードである場合、UEが第1のPDUセッションに対応するエリアから出て、UEが第1のPDUセッションに対応するユーザプレーン機能UPFエンティティのサービスエリアの中にあると決定したとき、SMFエンティティは、第1のPDUセッションに対応するエリアを更新するか、或いはSMFエンティティは、UEが第1のPDUセッションに対応するエリアから出て、UEが第1のPDUセッションに対応するUPFエンティティのサービスエリアから出ると決定したとき、第2のUPFエンティティを再選択する。
【０１９９】
任意選択で、或る態様では、SMFエンティティが、第1のPDUセッションに対応するエリアを更新する必要があると決定したとき、ステップS206の後に、本発明のこの実施形態において提供される方法は以下のステップを更に含む。
【０２００】
S207.SMFエンティティは、N11応答メッセージをAMFエンティティに送信し、N11応答メッセージは、第1のエリアを搬送し、第1のエリアは、第1のPDUセッションの更新エリアである。
【０２０１】
S208.AMFエンティティは、第3のメッセージをUEに送信する。
【０２０２】
UEがセッション変更手順を使用することによりUPFエンティティ再配置をトリガすることを要求するとき、第3のメッセージは、AMFエンティティによりUEに送信されるPDUセッション変更受付メッセージである。
【０２０３】
S209.UEは、AMFエンティティにより送信された第3のメッセージを受信する。
【０２０４】
S210.UEは、第3のメッセージに基づいて、第1のPDUセッションに対応するエリアを第1のエリアに更新する。
【０２０５】
任意選択で、UEは、第1のPDUセッション中のQoSフローに対応するフローテンプレートを第1のQoSフローテンプレートに更新する。
【０２０６】
任意選択で、第1のIPアドレスを受信した後に、UEはQoSフローテンプレートをローカルで更新する。実現方式において、UEは、QoSフローテンプレートにおけるパケットフィルタ内の送信元IPアドレスを第1のIPアドレスに置き換える。
【０２０７】
任意選択で、N11応答メッセージは、第1のIPアドレスを更に含み、したがって、第3のメッセージは、第1のIPアドレスを更に含む。第1のIPアドレスは、第1のPDUセッションの更新IPアドレスである。
【０２０８】
任意選択で、本発明のこの実施形態において提供される方法は以下のステップを更に含む。
【０２０９】
S211.UEは、第1のPDUセッションに対応するIPアドレスを第1のIPアドレスに更新する。
【０２１０】
この出願において提供されるセッション管理方法では、UEが第1のPDUセッションを確立するプロセスにおいて、SMFエンティティは、UEに対して第1のPDUセッションに対応するエリアを提供する。このように、UEがアイドル状態にあるとき、ひとたびUEが第1のPDUセッションに対応するエリアの外になると、UEは、第1のPDUセッションに対応するエリアを更新するようにPDUセッション変更要求メッセージをトリガする。このプロセスにおいて、SMFエンティティはUPF再配置を実行する。したがって、データが失われないことを確保するために、UPFエンティティ再配置は、データが送信される前に実行されることが確保され得る。
【０２１１】
任意選択で、他の態様では、SMFエンティティが第2のUPFエンティティを再選択する必要があると決定したとき、本発明のこの実施形態において提供される方法は以下のステップを更に含む。
【０２１２】
S212.SMFエンティティは、セッション確立要求を第2のUPFエンティティに送信し、セッション確立要求は、第1のPDUセッションの識別子を搬送する。
【０２１３】
S213.SMFエンティティは、第2のUPFエンティティにより送信されたセッション確立応答を受信する。
【０２１４】
図１３Ａ、図１３Ｂ及び図１３Ｃに示すように、図１３Ａ、図１３Ｂ及び図１３Ｃと図１２Ａ、図１２Ｂ及び図１２Ｃとの間の違いは以下の点にある。図１２Ａ、図１２Ｂ及び図１２Ｃでは、UEによりAMFエンティティに送信されるN1要求メッセージは、第1のPDUセッションの識別子及びPDUセッション変更要求メッセージを搬送し、PDUセッション変更要求メッセージは、UEの位置情報を含む。次いで、要求メッセージを受信した後に、AMFエンティティは、第1のPDUセッションの識別子及びPDUセッション変更要求メッセージをSMFエンティティに送信し、それにより、SMFエンティティは、UEの位置と、第1のPDUセッションに対応するUPFエンティティのサービスエリアと、第1のPDUセッションのセッションモードとに基づいて、第1のPDUセッションに対応するエリアを更新すること、又は第2のUPFエンティティを再選択することを決定する。しかし、図１３Ａ、図１３Ｂ及び図１３Ｃでは、UEによりAMFエンティティに送信されるN1要求メッセージは、第1のPDUセッションの識別子と、第1のセッションエリアを更新するために使用される指示と、PDUセッション変更要求メッセージとを搬送する。次いで、UEにより送信されたN1要求メッセージを受信した後に、AMFエンティティは、第1のセッションエリアを更新するために使用される指示に基づいて、UEの位置情報及びPDUセッション変更要求メッセージを、第1のPDUセッションの識別子により示されるSMFエンティティに送信する(AMFエンティティは、SMFエンティティの識別子と第1のPDUセッションの識別子との間のマッピング関係を記憶し、SMFエンティティは、第1のPDUセッションが確立された後に、SMFエンティティの識別子と第1のPDUセッションの識別子との間のマッピング関係をAMFエンティティに送信することが理解され得る)。
【０２１５】
この出願において提供されるセッション管理方法では、UEがSMFエンティティと第1のPDUセッションを確立するプロセスにおいて、SMFエンティティは、UEに対して第1のPDUセッションに対応するエリアを提供する。このように、UEがアイドル状態にあるとき、ひとたびUEが第1のPDUセッションに対応するエリアの外になると、UEは、第1のPDUセッションに対応するエリアを更新するようにPDUセッション変更要求メッセージをトリガする。このプロセスにおいて、SMFエンティティはUPF再配置を実行する。したがって、データが失われないことを確保するために、UPFエンティティ再配置は、データが送信される前に実行されることが確保され得る。
【０２１６】
図１４Ａ、図１４Ｂ及び図１４Ｃに示すように、図１４Ａ、図１４Ｂ及び図１４Ｃは、UEがサービス要求手順を使用することによりUPFエンティティ再配置をトリガし、ターゲットエンティティがAMFエンティティである例を使用することにより、本発明の実施形態による他のセッション管理方法を示す。具体的には、図１４Ａ、図１４Ｂ及び図１４Ｃと図１２Ａ、図１２Ｂ及び図１２Ｃとの間の違いは、ステップS203においてUEにより送信される第2のメッセージが、AMFエンティティに送信されるサービス要求メッセージである点にある。サービス要求メッセージは、第1のPDUセッションの識別子と、第1のPDUセッションのエリアを更新するように命令するために使用される指示とを搬送する。次いで、AMFエンティティは、第1のPDUセッションのエリアを更新するように命令するために使用される指示に基づいて、UEの位置情報及び第1のPDUセッションの識別子を、第1のPDUセッションの識別子により示されるSMFエンティティに送信する。
【０２１７】
UEがサービス要求メッセージ手順を使用することによりUPFエンティティ再配置をトリガするとき、第3のメッセージは、AMFエンティティによりUEに送信されるサービス受付メッセージである。
【０２１８】
この出願において提供されるセッション管理方法では、UEがSMFエンティティと第1のPDUセッションを確立するプロセスにおいて、SMFエンティティは、UEに対して第1のPDUセッションに対応するエリアを提供する。このように、UEがアイドル状態にあるとき、ひとたびUEが第1のPDUセッションに対応するエリアの外になると、UEは、第1のPDUセッションに対応するエリアを更新するようにPDUセッション変更要求メッセージをトリガする。このプロセスにおいて、SMFエンティティはUPF再配置を実行する。したがって、データが失われないことを確保するために、UPFエンティティ再配置は、データが送信される前に実行されることが確保され得る。
【０２１９】
図１５Ａ、図１５Ｂ及び図１５Ｃに示すように、図１５Ａ、図１５Ｂ及び図１５Ｃについて、ターゲットエンティティがAMFエンティティであり、UEが登録手順を使用することによりUPFエンティティ再配置をトリガする例を使用することにより説明する。図１５Ａ、図１５Ｂ及び図１５Ｃに記載の実施形態と図１４Ａ、図１４Ｂ及び図１４Ｃに記載の実施形態との間の違いは、UEによりAMFエンティティに送信される第2のメッセージが、UEによりAMFエンティティに送信される登録要求メッセージである点にある。登録要求メッセージは、第1の原因値を搬送し、第1の原因値は、UEが第1のPDUセッションに対応するエリアから出ることを示すために使用される。次いで、AMFエンティティは、第1の原因値に基づいて、UEの位置情報をSMFエンティティに送信することを決定する。
【０２２０】
本発明のこの実施形態では、第2のPDUセッションを再確立するSMFエンティティが、第1のPDUセッションを確立するSMFエンティティと同じであるために、UEによりAMFエンティティに送信される要求メッセージ又は登録要求メッセージ又はサービス要求メッセージが、第1のPDUセッションの識別子を搬送することが理解され得る。このように、AMFエンティティが、UEの位置情報を、第1のPDUセッションとマッピング関係を有するSMFエンティティに送信することが確保され得る。
【０２２１】
UEが登録手順を使用することによりUPFエンティティ再配置をトリガすることを要求するとき、第3のメッセージは、AMFエンティティによりUEに送信される登録受付メッセージである。
【０２２２】
この出願において提供されるセッション管理方法では、UEがSMFエンティティと第1のPDUセッションを確立するプロセスにおいて、SMFエンティティは、UEに対して第1のPDUセッションに対応するエリアを提供する。このように、UEがアイドル状態にあるとき、ひとたびUEが第1のPDUセッションに対応するエリアの外になると、UEは、第1のPDUセッションに対応するエリアを更新するようにPDUセッション変更要求メッセージをトリガする。このプロセスにおいて、SMFエンティティはUPF再配置を実行する。したがって、データが失われないことを確保するために、UPFエンティティ再配置は、データが送信される前に実行されることが確保され得る。
【０２２３】
上記は、主にユーザ装置とAMFエンティティとSMFエンティティとの間の相互作用の観点から、この出願において提供される解決策について説明している。上記の機能を実現するために、ユーザ装置、AMFエンティティ、SMFエンティティ等が、機能を実行するための対応するハードウェア構造及び/又はソフトウェアモジュールを含むことが理解され得る。当業者は、この明細書に開示された実施形態に記載の例におけるユーザ装置、AMFエンティティ、SMFエンティティ及び方法ステップを参照して、本発明が、ハードウェア又はハードウェアとコンピュータソフトウェアとの組み合わせの形式で実現できることを容易に認識するべきである。機能がハードウェアの形式で実行されるかコンピュータソフトウェアにより駆動されるハードウェアの形式で実行されるかは、技術的解決策の特定の用途及び設計制約条件に依存する。当業者は、それぞれの特定の用途について記載の機能を実現するために異なる方法を使用してもよく、実現方式がこの出願の範囲を超えると考えられるべきではない。
【０２２４】
本発明の実施形態において、ユーザ装置、AMFエンティティ、SMFエンティティ等は、上記の方法の例に基づいて、機能モジュールに分割されてもよい。例えば、各機能モジュールは、対応する機能毎の分割を通じて取得されてもよく、或いは2つ以上の機能が1つの処理モジュールに統合されてもよい。統合されたモジュールは、ハードウェアの形式で実現されてもよく、或いはソフトウェア機能モジュールの形式で実現されてもよい。本発明の実施形態におけるモジュール分割は例であり、論理的機能分割のみであることに留意すべきである。実際の実現方式では他の分割方式が存在してもよい。
【０２２５】
各機能モジュールが、対応する機能毎の分割を通じて取得されるとき、図１６は、上記の実施形態において使用されるAMFエンティティの可能な概略構造図である。AMFエンティティ10は、送信ユニット401と、受信ユニット402とを含む。受信ユニット402は、上記の実施形態におけるステップS102及びS116を実行する際にAMFエンティティ10をサポートするように構成され、送信ユニット401は、上記の実施形態におけるステップS103、S110、S113、S115、S117及びS208を実行する際にAMFエンティティ10をサポートするように構成される。本発明のこの実施形態において提供されるAMFエンティティ10は、上記の実施形態におけるステップS102を実行する際にAMFエンティティをサポートするように構成された取得ユニット403と、上記の実施形態におけるステップS109を実行する際にAMFエンティティをサポートするように構成された記憶ユニット404とを更に含んでもよいことが理解され得る。上記の方法の実施形態における各ステップの全ての関係する内容は、対応する機能モジュールの機能説明において引用されてもよく、詳細はここでは説明しない。
【０２２６】
具体的には、ハードウェアの実現方式において、受信ユニット402はAMFエンティティ10の受信機でもよく、送信ユニット401はAMFエンティティ10の送信機でもよい。送信機及び受信機は、図５に示すトランシーバを構成するように統合されてもよい。取得ユニット403及び記憶ユニット404は、AMFエンティティ10のプロセッサに統合されてもよい。
【０２２７】
統合されたユニットが使用されるとき、図１７は、上記の実施形態において使用されるAMFエンティティ10の可能な論理構造の概略図である。AMFエンティティ10は、処理モジュール512と、通信モジュール513とを含む。処理モジュール512は、AMFエンティティ10の動作を制御及び管理するように構成される。例えば、処理モジュール512は、上記の実施形態において、ステップS102及びS116、ステップS103、S110、S113、S115、S117、S208及びS102並びにステップS109を実行するように構成されるか、及び/又はこの明細書に記載の技術の他のプロセスを実行するように構成される。通信モジュール513は、ユーザ装置及びSMFエンティティと通信する際にAMFエンティティ10をサポートするように構成される。AMFエンティティ10は、AMFエンティティ10のプログラムコード及びデータを記憶するように構成された記憶モジュール511を更に含んでもよい。
【０２２８】
処理モジュール512は、プロセッサ又はコントローラでもよく、例えば、中央処理装置、汎用プロセッサ、デジタルシグナルプロセッサ、特定用途向け集積回路、フィールドプログラマブルゲートアレイ若しくは他のプログラマブル論理デバイス、トランジスタ論理デバイス、ハードウェアコンポーネント又はこれらのいずれかの組み合わせでもよい。コントローラ/プロセッサは、本発明に開示された内容を参照して説明した様々な例示的な論理ブロック、モジュール及び回路を実現又は実行してもよい。代替として、プロセッサは、計算機能を実現する組み合せ、例えば、1つ以上のマイクロプロセッサを含む組み合せ、又はデジタルシグナルプロセッサとマイクロプロセッサとの組み合せでもよい。通信モジュール513は、トランシーバ、トランシーバ回路、トランシーバ等でもよい。記憶モジュール511は、メモリでもよい。
【０２２９】
処理モジュール512がプロセッサであり、通信モジュール513がトランシーバであり、記憶モジュール511がメモリであるとき、本発明のこの実施形態において使用されるAMFエンティティは、図５に示すデバイスでもよい。
【０２３０】
各機能モジュールが、対応する機能毎の分割を通じて取得されるとき、図１８は、上記の実施形態において使用されるSMFエンティティの可能な概略構造図である。SMFエンティティ20は、アクセス及びモビリティ管理機能AMFエンティティにより送信され且つSMFエンティティに対してUEが第1のPDUセッションに対応するエリアから出るか否かを決定するように命令するために使用される第1のメッセージを受信するように構成された受信ユニット601と、上記の実施形態におけるステップS112、S112b及びS108を実行する際にSMFエンティティをサポートするように構成された送信ユニット602と、第1のPDUセッションのセッション継続モードを決定し、S112aを実行するように構成された決定ユニット603と、上記の実施形態におけるステップS111を実行する際にSMFエンティティをサポートするように構成された判断ユニットとを含む。上記の方法の実施形態における各ステップの全ての関係する内容は、対応する機能モジュールの機能説明において引用されてもよく、詳細はここでは説明しない。
【０２３１】
具体的には、ハードウェアの実現方式において、送信ユニット601はSMFエンティティの送信機でもよく、受信ユニット602はSMFエンティティの受信機でもよい。受信機及び送信機は、図６に示すようにSMFエンティティ20のトランシーバを構成するように統合されてもよい。決定ユニット603は、SMFエンティティ20のプロセッサに統合されてもよい。
【０２３２】
統合されたユニットが使用されるとき、図１９は、上記の実施形態において使用されるSMFエンティティ20の可能な論理構造の概略図である。SMFエンティティ20は、処理モジュール712と、通信モジュール713とを含む。処理モジュール712は、SMFエンティティ20の動作を制御及び管理するように構成される。例えば、処理モジュール712は、図８から図１１Ａ及び図１１Ｂに示す実施形態において、SMFエンティティにより実行されるステップを実行する際にSMFエンティティ20をサポートするように構成される。例えば、処理モジュール712は、アクセス及びモビリティ管理機能AMFエンティティにより送信され且つSMFエンティティに対してUEが第1のPDUセッションに対応するエリアから出るか否かを決定するように命令するために使用される第1のメッセージを受信し、S108及びステップS112及びS112bを実行し、第1のPDUセッションのセッション継続モードを決定し、S112aを実行するように構成されるか、及び/又はこの明細書に記載の技術の他のプロセスを実行するように構成される。通信モジュール713は、AMFエンティティと通信する際にSMFエンティティ20をサポートするように構成される。SMFエンティティ20は、SMFエンティティ20のプログラムコード及びデータを記憶するように構成された記憶モジュール711を更に含んでもよい。
【０２３３】
処理モジュール712は、プロセッサ又はコントローラでもよく、例えば、中央処理装置、汎用プロセッサ、デジタルシグナルプロセッサ、特定用途向け集積回路、フィールドプログラマブルゲートアレイ若しくは他のプログラマブル論理デバイス、トランジスタ論理デバイス、ハードウェアコンポーネント又はこれらのいずれかの組み合わせでもよい。コントローラ/プロセッサは、本発明に開示された内容を参照して説明した様々な例示的な論理ブロック、モジュール及び回路を実現又は実行してもよい。代替として、プロセッサは、計算機能を実現する組み合せ、例えば、1つ以上のマイクロプロセッサを含む組み合せ、又はデジタルシグナルプロセッサとマイクロプロセッサとの組み合せでもよい。通信モジュール713は、トランシーバ、トランシーバ回路、トランシーバ等でもよい。記憶モジュール711は、メモリでもよい。
【０２３４】
処理モジュール712がプロセッサであり、通信モジュール713がトランシーバであり、記憶モジュール711がメモリであるとき、本発明のこの実施形態において使用されるSMFエンティティは、図６に示すデバイスでもよい。
【０２３５】
各機能モジュールが、対応する機能毎の分割を通じて取得されるとき、図２０は、上記の実施形態において使用されるユーザ装置の可能な概略構造図である。ユーザ装置30は、送信ユニット801と、受信ユニット802と、決定ユニット803とを含む。送信ユニット801は、上記の実施形態におけるS101及びS106を実行する際にUEをサポートするように構成される。受信ユニット802は、上記の実施形態におけるステップS104を実行する際にユーザ装置30をサポートするように構成される。決定ユニット803は、上記の実施形態におけるステップS105を実行する際にユーザ装置30をサポートするように構成される。上記の方法の実施形態における各ステップの全ての関係する内容は、対応する機能モジュールの機能説明において引用されてもよく、詳細はここでは説明しない。
【０２３６】
各機能モジュールが、対応する機能毎の分割を通じて取得されるとき、図２１は、上記の実施形態において使用されるユーザ装置の可能な概略構造図である。ユーザ装置30は、受信ユニット901と、送信ユニット902と、マーキングユニット903とを含む。受信ユニット901は、上記の実施形態におけるS202及びS209を実行する際にUEをサポートするように構成される。送信ユニット902は、上記の実施形態におけるステップS203を実行する際にユーザ装置30をサポートするように構成される。マーキングユニット903は、上記の実施形態におけるステップS204を実行する際にユーザ装置30をサポートするように構成される。ユーザ装置は、S210及びS211を実行する際にユーザ装置をサポートするように構成された更新ユニット904を更に含む。上記の方法の実施形態における各ステップの全ての関係する内容は、対応する機能モジュールの機能説明において引用されてもよく、詳細はここでは説明しない。
【０２３７】
具体的には、ハードウェアの実現方式において、送信ユニット801及び送信ユニット902はユーザ装置30の送信機でもよく、受信ユニット802及び受信ユニット901はユーザ装置30の受信機でもよい。受信機及び送信機は、図７に示すようにユーザ装置30のトランシーバを構成するように統合されてもよい。更新ユニット904及びマーキングユニット903は、ユーザ装置30のプロセッサに統合されてもよい。
【０２３８】
統合されたユニットが使用されるとき、図２２は、上記の実施形態において使用されるユーザ装置30の可能な論理構造の概略図である。ユーザ装置30は、処理モジュール1012と、通信モジュール1013とを含む。処理モジュール1012は、ユーザ装置30の動作を制御及び管理するように構成される。例えば、処理モジュール1012は、図８から図１１Ａ及び図１１ＢにおいてUEにより実行される全てのステップを実行する際にユーザ装置30をサポートするように構成されるか、及び/又はこの明細書に記載の技術の他のプロセスを実行するように構成される。通信モジュール1013は、AMFエンティティと通信する際にユーザ装置30をサポートするように構成される。ユーザ装置30は、ユーザ装置30のプログラムコード及びデータを記憶するように構成された記憶モジュール1011を更に含んでもよい。
【０２３９】
処理モジュール1012は、プロセッサ又はコントローラでもよく、例えば、中央処理装置、汎用プロセッサ、デジタルシグナルプロセッサ、特定用途向け集積回路、フィールドプログラマブルゲートアレイ若しくは他のプログラマブル論理デバイス、トランジスタ論理デバイス、ハードウェアコンポーネント又はこれらのいずれかの組み合わせでもよい。コントローラ/プロセッサは、本発明に開示された内容を参照して説明した様々な例示的な論理ブロック、モジュール及び回路を実現又は実行してもよい。代替として、プロセッサは、計算機能を実現する組み合せ、例えば、1つ以上のマイクロプロセッサを含む組み合せ、又はデジタルシグナルプロセッサとマイクロプロセッサとの組み合せでもよい。通信モジュール1013は、トランシーバ、トランシーバ回路、トランシーバ等でもよい。記憶モジュール1011は、メモリでもよい。
【０２４０】
処理モジュール1012がプロセッサであり、通信モジュール1013がトランシーバであり、記憶モジュール1011がメモリであるとき、本発明のこの実施形態において使用されるユーザ装置は、図７に示すデバイスでもよい。
【０２４１】
図２３は、上記の実施形態において使用されるSMFエンティティの可能な概略構造図である。SMFエンティティ20は、送信ユニット1101と、受信ユニット1102と、処理ユニット1103とを含む。送信ユニット1101は、上記の実施形態におけるステップS201、S207及びS212を実行する際にユーザ装置をサポートするように構成される。受信ユニット1102は、上記の実施形態におけるS205及びS213を実行する際にSMFエンティティをサポートするように構成される。処理ユニット1103は、上記の実施形態におけるS206を実行する際にSMFエンティティをサポートするように構成される。上記の方法の実施形態における各ステップの全ての関係する内容は、対応する機能モジュールの機能説明において引用されてもよく、詳細はここでは説明しない。
【０２４２】
具体的には、ハードウェアの実現方式において、送信ユニット1101はSMFエンティティの送信機でもよく、受信ユニット1102はSMFエンティティの受信機でもよい。受信機及び送信機は、図６に示すようにSMFエンティティ20のトランシーバを構成するように統合されてもよい。処理ユニット1103は、SMFエンティティ20のプロセッサに統合されてもよい。
【０２４３】
統合されたユニットが使用されるとき、図２３に示すSMFエンティティ20は、図１９に示す論理構造を使用してもよい。具体的には、図１９に示す処理モジュール712は、SMFエンティティ20の動作を制御及び管理するように構成される。例えば、処理モジュール712は、図１２Ａ、図１２Ｂ及び図１２Ｃから図１５Ａ、図１５及び図１５Ｃに示す実施形態においてSMFエンティティにより実行されるステップを実行する際に、SMFエンティティ20をサポートするように構成されるか、及び/又はこの明細書に記載の技術の他のプロセスを実行するように構成される。通信モジュール713は、AMFエンティティと通信する際にSMFエンティティ20をサポートするように構成される。SMFエンティティ20は、SMFエンティティ20のプログラムコード及びデータを記憶するように構成された記憶モジュール711を更に含んでもよい。
【０２４４】
或る態様では、本発明の実施形態は、コンピュータ読取可能記憶媒体を提供し、コンピュータ読取可能記憶媒体は命令を記憶する。コンピュータ読取可能記憶媒体がSMFエンティティ上で実行するとき、SMFエンティティは、上記の実施形態においてSMFエンティティにより実行されるステップ(図８から図１１Ａ及び図１１ＢにおいてSMFエンティティにより実行される全てのステップと、図１２Ａ、図１２Ｂ及び図１２Ｃから図１５Ａ、図１５Ｂ及び図１５ＣにおいてSMFエンティティにより実行される全てのステップとを含む)を実行する。
【０２４５】
他の態様では、本発明の実施形態は、コンピュータ読取可能記憶媒体を提供し、コンピュータ読取可能記憶媒体は命令を記憶する。コンピュータ読取可能記憶媒体がAMFエンティティ上で実行するとき、AMFエンティティは、上記の実施形態においてAMFエンティティにより実行されるステップ(図８から図１１Ａ及び図１１ＢにおいてAMFエンティティにより実行される全てのステップと、図１２Ａ、図１２Ｂ及び図１２Ｃから図１５Ａ、図１５Ｂ及び図１５ＣにおいてAMFエンティティにより実行される全てのステップとを含む)を実行する。
【０２４６】
更に他の態様では、本発明の実施形態は、コンピュータ読取可能記憶媒体を提供し、コンピュータ読取可能記憶媒体は命令を記憶する。コンピュータ読取可能記憶媒体がユーザ装置上で実行するとき、ユーザ装置は、上記の実施形態においてUEにより実行されるステップ(図８から図１１Ａ及び図１１ＢにおいてUEにより実行される全てのステップと、図１２Ａ、図１２Ｂ及び図１２Ｃから図１５Ａ、図１５Ｂ及び図１５ＣにおいてUEエンティティにより実行される全てのステップとを含む)を実行する。
【０２４７】
当業者は、この出願の実施形態が方法、システム又はコンピュータプログラムプロダクトとして提供されてもよいことを理解するべきである。したがって、この出願の実施形態は、ハードウェアのみの実施形態、ソフトウェアのみの実施形態、又はソフトウェアとハードウェアの組み合わせを有する実施形態の形式を使用してもよい。さらに、この出願の実施形態は、コンピュータ使用可能プログラムコードを含む1つ以上のコンピュータ使用可能記憶媒体(ディスクメモリ、CD-ROM、光メモリ等を含むが、これらに限定されない)上に実現されるコンピュータプログラムプロダクトの形式を使用してもよい。
【０２４８】
この出願の実施形態は、この出願の実施形態による方法、デバイス(システム)及びコンピュータプログラムプロダクトのフローチャート及び/又はブロック図を参照して説明している。コンピュータプログラム命令は、フローチャート及び/又はブロック図における各プロセス及び/又は各ブロック、並びにフローチャート及び/又はブロック図におけるプロセス及び/又はブロックの組み合わせを実現するために使用されてもよいことが理解されるべきである。これらのコンピュータプログラム命令は、汎用コンピュータ、専用コンピュータ、埋め込みプロセッサ、又は機械を生成するためのいずれか他のプログラム可能データ処理デバイスのプロセッサに対して提供されてもよく、それにより、コンピュータ又はいずれか他のプログラム可能データ処理デバイスのプロセッサにより実行される命令は、フローチャート内の1つ以上のプロセス及び/又はブロック図内の1つ以上のブロックにおける特定の機能を実現するための装置を生成する。
【０２４９】
これらのコンピュータプログラム命令は、コンピュータ又はいずれか他のプログラム可能データ処理デバイスに対して特定の方式で動作するように命令できるコンピュータ読取可能メモリに記憶されてもよく、それにより、コンピュータ読取可能メモリに記憶された命令は、命令装置を含むアーチファクトを生成する。命令装置は、フローチャート内の1つ以上のプロセス及び/又はブロック図内の1つ以上のブロックにおける指定の機能を実現する。
【０２５０】
これらのコンピュータプログラム命令はまた、コンピュータ又は他のプログラム可能データ処理デバイスにロードされてもよく、それにより、一連の動作及びステップがコンピュータ又は他のプログラム可能デバイス上で実行され、それにより、コンピュータで実現される処理を生成する。したがって、コンピュータ又は他のプログラム可能デバイス上で実行される命令は、フローチャート内の1つ以上のプロセス及び/又はブロック図内の1つ以上のブロックにおける特定の機能を実現するためのステップを提供する。
【０２５１】
明らかに、当業者は、この出願の真意及び範囲から逸脱することなく、この出願の実施形態に様々な変更及び変形を行うことができる。この出願は、以下の特許請求の範囲及びこれらの等価な技術により規定される保護の範囲内にあることを条件に、これらの変更及び変形をカバーすることを意図する。
【図１】
0006931066.tif 000002
【図２】
0006931066.tif 000003
【図３】
0006931066.tif 000004
【図４】
0006931066.tif 000005
【図５】
0006931066.tif 000006
【図６】
0006931066.tif 000007
【図７】
0006931066.tif 000008
【図８】
0006931066.tif 000009
【図９Ａ】
0006931066.tif 000010
【図９Ｂ】
0006931066.tif 000011
【図１０Ａ】
0006931066.tif 000012
【図１０Ｂ】
0006931066.tif 000013
【図１１Ａ】
0006931066.tif 000014
【図１１Ｂ】
0006931066.tif 000015
【図１２Ａ】
0006931066.tif 000016
【図１２Ｂ】
0006931066.tif 000017
【図１２Ｃ】
0006931066.tif 000018
【図１３Ａ】
0006931066.tif 000019
【図１３Ｂ】
0006931066.tif 000020
【図１３Ｃ】
0006931066.tif 000021
【図１４Ａ】
0006931066.tif 000022
【図１４Ｂ】
0006931066.tif 000023
【図１４Ｃ】
0006931066.tif 000024
【図１５Ａ】
0006931066.tif 000025
【図１５Ｂ】
0006931066.tif 000026
【図１５Ｃ】
0006931066.tif 000027
【図１６】
0006931066.tif 000028
【図１７】
0006931066.tif 000029
【図１８】
0006931066.tif 000030
【図１９】
0006931066.tif 000031
【図２０】
0006931066.tif 000032
【図２１】
0006931066.tif 000033
【図２２】
0006931066.tif 000034
【図２３】
0006931066.tif 000035